(57)【要約】【課題】スコープで操作した場合に現場の所望の視野を得ること。【解決手段】２，０００画素×２，０００画素の画素配列を提供する撮像センサを有するスコープを提供するための、システム、機器及び方法である。撮像センサは、所望の視野角に対応する撮像データを含む２，０００画素×２，０００画素の画素配列内の、１，０００画素×１，０００画素の配列を選択することにより、視野内で視野角を変更することを可能にする。【選択図】図１
2020006176.tif 000002
【特許請求の範囲】
【請求項１】
システムであって、
プリズムを含むスコープと、
ハンドピースと、
２，０００画素×２，０００画素の画素配列を含む撮像センサと、
作動した場合に、前記プリズムを介して提供される視野角を単一画像読み出しフレーム内で変更させるインターフェース素子と、を備える、システム。
【請求項２】
前記プリズムが５０°のプリズムである、請求項１に記載のシステム。
【請求項３】
前記視野角が３０°の視野角へと変更し得る、請求項２に記載のシステム。
【請求項４】
前記視野角が７０°の視野角へと変更し得る、請求項２に記載のシステム。
【請求項５】
前記視野角に関する画像情報に露光される画素に対応する、前記２，０００画素×２，０００画素の画素配列における、１，０００画素×１，０００画素の画素配列を特定する、画像取得及び処理回路を更に備える、請求項１に記載のシステム。
【請求項６】
前記プリズムを介して提供される前記視野角が第２の視野角へと変化する場合に、前記画像取得及び処理回路が、前記第２の視野角に関する画像情報に露光される画素に対応する、前記２，０００画素×２，０００画素の画素配列における、第２の１，０００画素×１，０００画素の画素配列を特定する、請求項５に記載のシステム。
【請求項７】
前記プリズムが回転可能である、請求項１に記載のシステム。
【請求項８】
第１の位置における前記プリズムに関する画像情報に露光される前記画素に対応する、前記２，０００画素×２，０００画素の画素配列における、１，０００画素×１，０００画素の画素配列を特定する、画像取得及び処理回路を更に備える、請求項７に記載のシステム。
【請求項９】
前記画像取得及び処理回路は、前記プリズムが第２の位置へと回転したことを検出し、それに応じて、前記第２の位置における前記プリズムに関する画像情報に露光される前記画素に対応する、前記２，０００画素×２，０００画素の画素配列における、第２の１，０００画素×１，０００画素の画素配列を特定する、請求項８に記載のシステム。
【請求項１０】
前記撮像センサから取得された情報とともに、表示装置上に表示されたノッチを更に備える、請求項１に記載のシステム。
【請求項１１】
スコープであって、
前記スコープの遠位先端に配置されたプリズムと、
ハンドピースと、
２，０００画素×２，０００画素の画素配列を含む撮像センサと、
作動した場合に、前記プリズムを介して提供される視野角を単一画像読み出しフレーム内で変更させるインターフェース素子と、を備える、スコープ。
【請求項１２】
前記プリズムが５０°のプリズムである、請求項１１に記載のスコープ。
【請求項１３】
前記視野角が５０°である、請求項１１に記載のスコープ。
【請求項１４】
前記視野角が３０°である、請求項１１に記載のスコープ。
【請求項１５】
前記視野角が７０°である、請求項１１に記載のスコープ。
【請求項１６】
前記撮像センサが、５０°の視野角に関する画像情報を含有する前記２，０００画素×２，０００画素の画素配列内の、第１の１，０００画素×１，０００画素の画素配列を特定する、請求項１１に記載のスコープ。
【請求項１７】
前記プリズムの回転を検出し、それに応じて、回転した５０°の視野角を表す画像データを含有する、前記２，０００画素×２，０００画素の配列内の、第２の１，０００画素×１，０００画素の画素配列を特定する、画像取得及び処理回路を更に備える、請求項１６に記載のスコープ。
【請求項１８】
前記撮像センサが、３０°の視野角に関する画像情報を含有する前記２，０００×２，０００画素の画素配列内の、第１の１，０００画素×１，０００画素の画素配列を特定する、請求項１１に記載のスコープ。
【請求項１９】
前記プリズムの回転を検出し、それに応じて、回転した３０°の視野角を表す画像データを含有する、前記２，０００画素×２，０００画素の配列内の、第２の１，０００画素×１，０００画素の画素配列を特定する、画像取得及び処理回路を更に備える、請求項１６に記載のスコープ。
【請求項２０】
前記撮像センサが、７０°の視野角に関する画像情報を含有する前記２，０００×２，０００画素の画素配列内の、第１の１，０００画素×１，０００画素の画素配列を特定する、請求項１１に記載のスコープ。
【請求項２１】
前記プリズムの回転を検出し、それに応じて、回転した７０°の視野角を表す画像データを含有する、前記２，０００画素×２，０００画素の配列内の、第２の１，０００画素×１，０００画素の画素配列を特定する、画像取得及び処理回路を更に備える、請求項１６に記載のスコープ。
【請求項２２】
方法であって、
スコープの遠位先端においてプリズムを有し、かつ１つ以上のインターフェース素子を有する前記スコープを提供することと、
プロセッサにより、前記１つ以上のインターフェース素子のうちの１つから指示を受信して、前記スコープの前記遠位先端における前記プリズムにより提供される視野角を変更することと、
プロセッサにより、前記指示された視野角に対応する２，０００画素×２，０００画素の画素配列を有する画像センサ上の、１，０００画素×１，０００画素の画素配列を特定することと、
前記プロセッサにより、前記指示された視野角に対応する前記１，０００画素×１，０００画素の画素配列からの撮像データを受信することと、
表示装置上に表示するために、画像データから画像を生成することと、を含む、方法。
【請求項２３】
前記指示された視野角に対応する前記１，０００画素×１，０００画素の配列を露光することを更に含む、請求項２２に記載の方法。
【請求項２４】
前記２，０００画素×２，０００画素の画素配列が、４Ｋの撮像センサを提供する、請求項２２に記載の方法。
【請求項２５】
前記視野角が５０°から３０°へと変更される、請求項２２に記載の方法。
【請求項２６】
前記視野角が５０°から７０°へと変更される、請求項２２に記載の方法。
【請求項２７】
前記視野角が３０°から７０°へと変更される、請求項２２に記載の方法。
【請求項２８】
前記視野角が３０°から５０°へと変更される、請求項２２に記載の方法。
【請求項２９】
前記視野角が７０°から５０°へと変更される、請求項２２に記載の方法。
【請求項３０】
前記視野角が７０°から３０°へと変更される、請求項２２に記載の方法。
【請求項３１】
プロセッサにより、前記スコープの前記遠位先端における前記プリズムの回転指示及び前記プリズムの回転度に対応する第２の回転視野角を受信して、それに応じて、プロセッサにより、前記第２の回転視野角に対応する第２の１，０００画素×１，０００画素の画素配列を特定することを更に含む、請求項２２に記載の方法。
【発明の詳細な説明】
【技術分野】
【０００１】
本開示は、一般に、外科手術中に外科医を支援するために使用される全てのタイプのスコープに関する。
【０００２】
（連邦政府による資金提供を受けた研究又は開発に関する記述）
該当なし。
【背景技術】
【０００３】
内視鏡手術は、医療分野における急速な成長を経験している。内視鏡検査は、小切開又は最小限の切開を介して管状部材を体腔内へと挿入することにより、体腔の内部又は臓器の内面を分析するために使用される、低侵襲外科手術である。従来の内視鏡は、一般に、光源、及び体腔の内部を可視化するための画像センサ又は装置を伴う器具である。関節鏡、血管内視鏡、気管支鏡、コレドコスコープ、コノスコープ、サイトスコープ、十二指腸鏡、腸鏡、食道胃十二指腸鏡（胃内視鏡）、腹腔鏡、喉頭鏡、鼻咽腔−ネプロスコープ、Ｓ状結腸鏡、胸腔鏡、及び尿管鏡（以下、一般に「内視鏡」又は「スコープ」と称される）を含むがこれらに限定されない内視鏡の一般的な分野に関して、広範囲の適用が開発されてきた。内視鏡検査の利点としては、より小さい外科的切開及びより少ない軟組織損傷が挙げられる。結果として、患者の不快感及び痛みが著しく減少し、同様に回復時間が減少する。
【０００４】
内視鏡の手助けを伴い行われる低侵襲手術の利点は、医療分野において周知であり、かつ理解されている。結果として、例えば、診断、監視、処置、手術器具、器具、及び付属品（まとめて「器具」）を医師の内視鏡の観察野及び作業空間内へと送達するための内視鏡とともに使用するための、多数の装置が発達している。
【０００５】
手術部位の画像を形成する一部として、内視鏡は光源及び画像センサを含む。内視鏡はまた、診断、監視、治療、又は手術器具を内視鏡に通す作業チャネルなどの、本体内での観察又は操作のための２つ以上の管状部材を組み込んでよい。内視鏡は、ガラスレンズ及び調節可能な接眼鏡又は接眼レンズ、光導体のための横方向接続部、集束を可能にするアダプタ、及びカメラヘッドを含む。本構成は、ビデオ内視鏡とも呼ばれる。従来の内視鏡は、物理的プリズムを使用して、光を手術現場に向ける。残念ながら、物理的プリズムを使用することにより、内視鏡の先端部が角度付けされ、使用者が物理的プリズムを回転させて、外科医が手術現場の異なる部分を見ることを可能にする。
【０００６】
ほとんどのスコープは、例えば５ｍｍのスコープなどの特定の寸法の開口を用いて実施される。５ｍｍのスコープは、直径５ｍｍを超える本体へと挿入される部分を有さない。従来の５ｍｍのスコープ又はその他のスコープは、ゼロ度の（先の鈍い）シャフト先端部又は角度付きシャフト先端部（例えば、約３０度のシャフト先端部〜約７０度のシャフト先端部の範囲の間）で実施される。特定の状況では、その他の先端部を使用して、より狭い又はより広い視野を提供することが可能である。
【０００７】
この従来の技術の１つの欠点は、視野を３０度から７０度に変更するために、例えば、外科医が、人体からスコープを引き抜かなければならず、固定された３０度の先端部を取り外して、スコープに７０度の先端部を適用しなければならない（又は、３０度の先端部を有するもの、及び７０度の先端部を有するもの、の２つのスコープを使用しなければならない）ことである。先端部（又はスコープ）を変更することは望ましくないが、しかしこれは、先端部（又はスコープ）を変更すると、外科処置の長さを延長する外科的遅延が生じるためである。なお、スコープを数回（又は異なるスコープを）引き抜くこと及び再挿入することは、組織が外科手術中に損傷する（例えば、スコープを再挿入しながら、神経に偶発的に当たる）リスクを冒すことになる。多くの場合、外科医は、異なる視野を見るためにスコープの先端部を調整又は変更することが望まれないため、手術手順の異なる部分について視野を常に調整するよりも、むしろより理想的ではない、又は少なくともあまり望ましくない現場を有し得る、ということを見出す。したがって、現場のより理想的ではない視野又はスコープの切り替え若しくは調節との間の選択肢が与えられた場合、外科医は多くの場合、現場の理想的ではない視界で動作することになる。
【発明の概要】
【発明が解決しようとする課題】
【０００８】
したがって、スコープを身体から引き抜くことなく、又は物理的装置若しくは先端部を変更する必要なく、スコープで操作した場合、外科医にとって、それらの現場の所望の視野を得る必要性が存在する。所望の視野を選択的に選択する能力を有する一方で、現場の真の高精細視野を提供する必要性が更に存在する。
【０００９】
本開示の特徴及び利点は以下に続く説明において記述され得、かつある程度この説明から明らかとなる、又は、過度な実験をすることなく本開示の実践により習得され得る。本開示の特徴及び利点は、開示において特に指し示された器具及び組み合わせにより実現され、かつ獲得され得る。
【課題を解決するための手段】
【００１０】
一実施形態では、システムが開示される。本システムは、プリズムを更に含むスコープを含む。本システムは更に、ハンドピースを含む。本システムはまた、撮像センサを含む。撮像センサは、２，０００画素×２，０００画素の画素配列を含む。本システムは、作動した場合、プリズムを介して提供される視野角を単一画像読み出しフレーム内で変更させるインターフェース素子を更に含む。
【００１１】
別の実施形態では、スコープが開示される。本スコープは、スコープの遠位先端に配置されたプリズムを含む。本スコープはハンドピースを含む。本スコープはまた、撮像センサを含む。撮像センサは、２，０００画素×２，０００画素の画素配列を含む。本スコープは、作動した場合、プリズムを介して提供される視野角を単一読み出しフレーム内で変更させるインターフェース素子を更に含む。
【００１２】
別の実施形態では、方法が開示される。本方法は、スコープの遠位先端にプリズムを有するスコープを提供することを含む。本スコープは、１つ以上のインターフェース素子を更に有する。プロセッサは、スコープの遠位先端におけるプリズムにより提供される視野角を変更するために、１つ以上のインターフェース素子のうちの１つからの指示を受信する。プロセッサは、表示された視野角に対応する画素配列のサブ部分、例えば、１，０００画素×１，０００画素、を特定する。プロセッサはまた、表示された視野角に対応する１，０００×１，０００の画素配列などのサブ部分からの画像データを受信して、表示装置上に表示するために、画像データから画像を生成する。
【図面の簡単な説明】
【００１３】
本開示の特徴及び利点は、添付図面に関連して提示される後続の詳細な説明を考慮することで、明らかとなるであろう。
【図１】電子可変プリズムとともに使用するための代表的なスコープを示す。
【図２】図１に示す代表的なスコープに接続され得る４Ｋ画像センサを示す。
【図３】図１に示すスコープが５０°のプリズムを組み込んだ場合に実施される視野パターンの、実施形態を示す。
【図４Ａ】図１に示すスコープが５０°のプリズムを組み込み、かつ３０°の視野角を提供するように調節された場合に実施される視野パターンの、実施形態を示す。
【図４Ｂ】図１に示すスコープが５０°のプリズムを組み込み、かつ３０°の視野角を提供するように調節された場合に実施される視野パターンの、実施形態を示す。
【図４Ｃ】図１に示すスコープが５０°のプリズムを組み込み、かつ３０°の視野角を提供するように調節された場合に実施される視野パターンの、実施形態を示す。
【図４Ｄ】図１に示すスコープが５０°のプリズムを組み込み、かつ３０°の視野角を提供するように調節された場合に実施される視野パターンの、実施形態を示す。
【図５Ａ】図１に示すスコープが５０°のプリズムを組み込み、かつ７０°の視野角を提供するように調節された場合に実施される視野パターンの、実施形態を示す。
【図５Ｂ】図１に示すスコープが５０°のプリズムを組み込み、かつ７０°の視野角を提供するように調節された場合に実施される視野パターンの、実施形態を示す。
【図５Ｃ】図１に示すスコープが５０°のプリズムを組み込み、かつ７０°の視野角を提供するように調節された場合に実施される視野パターンの、実施形態を示す。
【図５Ｄ】図１に示すスコープが５０°のプリズムを組み込み、かつ７０°の視野角を提供するように調節された場合に実施される視野パターンの、実施形態を示す。
【図６Ａ】図１に示すスコープが５０°のプリズムを組み込み、かつ５０°の視野角を提供するように調節された場合に実施される視野パターンの、実施形態を示す。
【図６Ｂ】図１に示すスコープが５０°のプリズムを組み込み、かつ５０°の視野角を提供するように調節された場合に実施される視野パターンの、実施形態を示す。
【図６Ｃ】図１に示すスコープが５０°のプリズムを組み込み、かつ５０°の視野角を提供するように調節された場合に実施される視野パターンの、実施形態を示す。
【図６Ｄ】図１に示すスコープが５０°のプリズムを組み込み、かつ５０°の視野角を提供するように調節された場合に実施される視野パターンの、実施形態を示す。
【図７Ａ】図１に示すスコープが、デジタルプリズムを使用して３０°の視野角を提供した場合に実施される視野パターンの、実施形態を示す。
【図７Ｂ】図１に示すスコープが、デジタルプリズムを使用して３０°の視野角を提供した場合に実施される視野パターンの、実施形態を示す。
【図７Ｃ】図１に示すスコープが、デジタルプリズムを使用して３０°の視野角を提供した場合に実施される視野パターンの、実施形態を示す。
【図７Ｄ】図１に示すスコープが、デジタルプリズムを使用して３０°の視野角を提供した場合に実施される視野パターンの、実施形態を示す。
【図８Ａ】図１に示すスコープが、デジタルプリズムを使用して７０°の視野角を提供した場合に実施される視野パターンの、実施形態を示す。
【図８Ｂ】図１に示すスコープが、デジタルプリズムを使用して７０°の視野角を提供した場合に実施される視野パターンの、実施形態を示す。
【図８Ｃ】図１に示すスコープが、デジタルプリズムを使用して７０°の視野角を提供した場合に実施される視野パターンの、実施形態を示す。
【図８Ｄ】図１に示すスコープが、デジタルプリズムを使用して７０°の視野角を提供した場合に実施される視野パターンの、実施形態を示す。
【図９Ａ】図１に示すスコープが、デジタルプリズムを使用して５０°の視野角を提供した場合に実施される視野パターンの、実施形態を示す。
【図９Ｂ】図１に示すスコープが、デジタルプリズムを使用して５０°の視野角を提供した場合に実施される視野パターンの、実施形態を示す。
【図９Ｃ】図１に示すスコープが、デジタルプリズムを使用して５０°の視野角を提供した場合に実施される視野パターンの、実施形態を示す。
【図９Ｄ】図１に示すスコープが、デジタルプリズムを使用して５０°の視野角を提供した場合に実施される視野パターンの、実施形態を示す。
【図１０】特定の視野角で視野を提供するために、４Ｋの画素配列内における画素の選択を特定するための方法を示す。
【図１１】光不足環境において画像生成に使用するための、動作における、図１に示すスコープを使用した４Ｋセンサ及び電磁エミッタのシステムの実施形態の、概略図を示す。
【図１２】相補的システムハードウェアの概略図を示す。
【図１２Ａ】１つの画像フレームを構築するために使用されるセンサの、動作サイクルを示す。
【図１２Ｂ】１つの画像フレームを構築するために使用されるセンサの、動作サイクルを示す。
【図１２Ｃ】１つの画像フレームを構築するために使用されるセンサの、動作サイクルを示す。
【図１２Ｄ】１つの画像フレームを構築するために使用されるセンサの、動作サイクルを示す。
【図１３】電磁エミッタの一実施形態の動作の、グラフ表示を示す。
【図１４】露光制御を提供するために放出された電磁パルスの持続時間及び振幅を変化させたグラフ表示である。
【図１５】図１３Ａ〜図１５のセンサ、電磁エミッタ、及び放出された電磁パルスの動作サイクルを組み合わせ、動作中の撮像システムを実証する、本開示の実施形態のグラフ表示を示す。
【図１６】全スペクトル光及び分割スペクトル光に関して映像のフレームを記録するための、ｔ（０）〜ｔ（１）までの期間にわたる２つの別個のプロセスの概略図を示す。
【発明を実施するための形態】
【００１４】
本開示による原理の理解を促進する目的で、図面に示される実施形態をここで参照し、かつ特定の言語を使用してその図面を説明する。にもかかわらず、それにより、本開示の範囲の限定は意図されないことが理解されるであろう。本明細書に例示される本発明の特徴の任意の改変及び更なる修正、並びに本明細書に例示される本開示の原理の任意の追加の適用は、通常当業者に生じ、また本開示の所有は特許請求される開示の範囲内であると見なされる。
【００１５】
単回使用撮像装置及び画像又は視野最適化組立体を提供するための装置、システム、方法、並びにプロセスが開示及び記載される前に、本開示は、このような実施形態、構成、又はプロセス工程が若干変更され得る故に、本明細書に開示された特定の実施形態、構成、又はプロセス工程に限定されるものではないことを理解すべきである。また、本開示の範囲は、添付の「特許請求の範囲」及びある場合はその同等物によってのみ制限されるため、本明細書で用いられる専門用語は特定の実施形態のみを記載する目的で使用され、制限であるとは意図されないことも理解されよう。
【００１６】
本開示の主題の記載及び特許請求において、以下の専門用語は、以下に示される定義に従って使用されるであろう。
【００１７】
本明細書及び添付の特許請求の範囲で使用する場合、単数形「ａ」、「ａｎ」、及び、「ｔｈｅ」は、前後の文脈により明確な指定がない限り、複数の参照部分を含むことに注意しなければならない。
【００１８】
本明細書で使用する場合、「視野」とは、液体中で回折される度又は角度に関してどの程度の画像を見ることができるかを企図することを意図していることを理解しなければならない。
【００１９】
本明細書で使用する場合、「視野角」とは、視野が液体中で回折される度又は角度にて角度をなす角度を企図することを意図していることを理解しなければならない。
【００２０】
本明細書で使用する場合、用語「含む（comprising）」、「包含する（including）」、「含有する（containing）」、「によって特徴づけられる（characterized by）」及びその文法上の同等物は、更なる、記載されていない要素又は方法の工程を除外しない包括的、つまり、幅広い解釈ができる用語である。
【００２１】
本明細書で使用する場合、語句「からなる」及びその文法的同等物は、「特許請求の範囲」で特定されない任意の要素、工程は、又は成分を除外する。
【００２２】
本明細書で使用する場合、語句「から本質的になる」及びそれらの文法的同等物は、特定される材料又は工程、及び特許請求される開示の基本の及び新しい特徴又は複数の特徴に物質的に影響しないものに、特許請求の範囲を制限する。
【００２３】
本明細書で使用する場合、装置又は電子通信に関連して使用される用語「能動的」とは、その動作及び／又はその状態に関する意思決定又は論理処理能力を有するハードウェア又はソフトウェアにより駆動される、任意の装置又は回路を意味する。反対に、用語「受動的」とは、撮像装置又は電子通信に関連して使用される場合に、書き込み及び読み取り形式のみの、又は任意のメモリあるいはその他の電子追跡構成要素若しくは物理的追跡構成要素を有さず、かつその動作及び／又はその状態に関する任意の意思決定若しくは論理処理能力を含まない、ハードウェア装置を指す。
【００２４】
ここで図面を参照すると、また具体的には図１を参照すると、一般に、本開示の特徴の一実施形態が説明される。図１は、外科的使用のためのスコープ１２５を提供する、スコープシステム１００を示す。スコープシステム１００は、スコープ１２５に接続するハンドピース１０５を含む。ハンドピース１０５は、ＣＭＯＳセンサ（図１には示されていないが、以下で論じる）などの画像センサを実装してよい。ハンドピース１０５は、ボタン、ダイヤル、タッチスクリーン、又は当該技術分野において周知のその他の従来のインタラクティブ要素として実装され得る相互作用的要素１１０を更に実装してよい。ハンドピース１０５は、ＣＭＯＳセンサ、光のパルス、並びに画像取得及び処理回路１２０とハンドピース１０５との間のその他の情報から情報を通信する役割を果たすケーブル１１５により、画像取得及び処理回路１２０に更に接続されてよい。画像取得及び処理回路１２０は、光エンジン、レーザ光エンジン、画像プロセッサ、ＣＭＯＳ画像センサから得られた画像を表示するためのディスプレイユニット、及びスコープの遠位先端における手術現場に光パルスを供給し、かつＣＭＯＳセンサにより取得された画像情報を受信するために必要なその他の要素などの要素を含んでよい。
【００２５】
スコープ１２５は、任意選択のハンドル１３０、及びスコープ１２５の遠端部に光を透過させて、内視鏡の遠端部で手術現場から情報を取得するように構成された種々の要素を含んでよい。例えば、種々のワイヤ、伝送線、光ファイバーケーブル、ルーメン、及びその他の要素がスコープ１２５内に配置されてよく、管１３５を介してスコープ１２５の遠端部まで延在してよい。
【００２６】
管１３５の遠端部において、プリズム（又は以下で論じるようなレンズ）１４０が配置されてよい。例えば、プリズム１４０は、視野を一定の度又は角度にてオフセットするように実装されてよい。一実施形態では、光が０°と９０°との間の特定の角度にて方向付けられるように、任意のプリズムを使用して光を角度付け又は回折させるが、５０°のプリズムを使用して、スコープ１２５から手術現場へと放出される光を角度付けてよい。しかし、ほとんどの外科医が３０°又は７０°の視野角を好む故に、３０°及び７０°がそれぞれ５０°から２０°離れているために、本実施態様では５０°のプリズムが特に好適である。本特定の実施態様は、以下で更に考察される。ＣＭＯＳセンサ（図１には示されていないが、以下で論じる）などの画像センサは、管又はスコープ１３５の遠端部内に実装されてよい。
【００２７】
図２は、図１に示す代表的なスコープに接続され得る４Ｋ画像センサ２００を示す。画像センサ２００はＣＭＯＳセンサであってよく、少なくとも２，０００画素の高さ２０５及び２，０００画素の幅２１０を有するように配置された４，０００，０００画素を含む故に、４Ｋセンサと呼ばれることもある。換言すれば、画像センサ２００は、２，０００画素×２，０００画素の正方形を含むように配列された４，０００，０００個の個々の画素を伴う画素配列を有する、正方形のセンサであってよい。センサ２００は、管１３５の遠端部においてスコープ１２５内に配置されてよい。
【００２８】
図２にて示すように、画像センサ２００は、より小さい部分へと細分化されてよい。即ち、４，０００，０００画素の配列では、実質上無限の数の１，０００画素×１，０００画素の配列が存在する。図２は、センサの上部左部分を占有し、かつ画像センサ２００内の全画素のちょうど１／４を含む、１，０００画素×１，０００画素の第１画素配列２１５を示す。図２は、第２の画素配列２２０、第３の画素配列２２５、及び第４の画素配列２３０を更に示し、これらはそれぞれ、画像センサ２００の異なる部分を占有する非重複配列であり、また、これらは全て、１，０００画素高さ×１，０００画素幅である。第５の画素配列２３５は、画素配列２３５の右側が画像センサ２００の右縁からの距離である際に、画素配列２３５の左側が画像センサ２００の左縁からの距離と同じ距離であるという点で、画像センサ２００の中心部分を占有するものとして図示されている。更に、第５の画素配列２３５は、画素配列２３５の底部が画像センサ２００の下端からの距離である際に、画素配列２３５の上側が画像センサ２００の上端からの距離と同じ距離となるように、特定される。
【００２９】
第１の画素配列２１５、第２の画素配列２２０、第３の画素配列２２５、第４の画素配列２３０、及び第５の画素配列２３５は、画像センサ２００における２，０００×２，０００画素の配列から作製され得る、単に５つのサブ画素配列系統である。しかし、前述したように、独自の１，０００画素×１，０００画素の配列の総数は、実質上無限であってよい。換言すれば、画像センサ２００内の各個々の画素は、１，０００画素×１，０００画素の全ての配列及び任意のその他の配列とは異なる、独自の１，０００画素×１，０００画素の配列の一部であってよい。したがって、２，０００×２，０００画素の配列から選択され得る、独自の１，０００画素×１，０００画素の配列の数は非常に多い。したがって、画像センサ２００などの４Ｋ画像センサは、以下で論じるように、特定の目的のために使用されるように選択され得る、有意な種々の１，０００×１，０００画素の配列を提供するのに特に好適であり得る。
【００３０】
図３は、上記の図１に関して示され説明されるスコープ１２５が、スコープ１２５の遠端部に配置され得る５０°のプリズム３０５を組み込んだ場合に実装される視野パターン３００の、一実施形態を示す。図２に関して上述した画像センサ２００などの４Ｋセンサ上に、視野３１０の広い視野にて、プリズム３０５からの視野パターン３００を投影させることができる。視野３１０は、図３に示すように、３０°の視野角３１５、５０°の視野角３２０、及び７０°の視野角３２５を組み込むのに十分な広さであってよい。更に、５０°のプリズムを使用する実施形態では、８５°の視野は、例えば、外科的状況における場合に頻繁な生理食塩水などの液体で得ることができる。８５°の視野はまた、４，０００，０００画素の画素配列上の１，０００画素×１，０００画素の画素配列に対応する。したがって、３０°の視野角３１５、５０°の視野角３２０、及び７０°視野角３２５のそれぞれから導出される情報は、上述の画像センサ２００などの４Ｋ画像センサにより、完全に捕捉されてよい。視野パターン３００の具体的な実施態様を以下で論じる。
【００３１】
図４は、図１に示すスコープ１２５が５０°のプリズムを組み込み、かつ３０°の視野角を提供するように調節された場合に実施される、図３に示す視野パターン３００に類似し得る、視野パターン４００の実施形態を示す。視野パターン４００は、４Ｋ画像センサであり得る画像センサ４０５の表示を含む。画像センサ４０５は、上述の画像センサ２００に対する実装及び説明と同様の方法で実装されてよい。視野パターンパターン４００は、５０°のプリズムを介して見ることができる視野全体を包含する広い視野４１０を含む。図４Ａにて示すように、画像センサ４０５上に視野４１０が置かれて、画像センサ４０５上の場面から画像情報を収集する各画素の近似位置を示す。視野パターン４００は、画像センサ４０５の中心部分を表す中心焦点４１５を更に示す。
【００３２】
視野パターン４００は、ノッチ４２５により特定された視野の特定の部分における３０°の場面に対応する、特定の１，０００画素×１，０００画素の配列４２０ａの表示を更に含む。図１に示すインターフェース素子１１０を使用してスコープ１２５を操作することにより、外科医は、特定の３０°の視野角を変更又は回転させて、手術場面の異なる３０°部分を見ることができる。ノッチ４２５は、外科医がどの方向が上、下、左又は右であるかを特定することができるように、外科医が手術場面の３０°部分を見るための配向点を外科医に提供する。
【００３３】
しかし、外科医が視野角を回転させると、所望の画像情報を受信する画素配列４０５上の画素の、対応する位置が変わる。換言すれば、特定の１，０００画素×１，０００画素の配列４２０ａは、ノッチ４２５により指定された特定の視野角に関連付けられてよい。図４Ａにて示すように、３０°の視野角は、ノッチ４２５の正反対の画像センサ４０５上に配置された１，０００画素×１，０００画素の配列４２０ａ内に、画像情報を記憶させることができる。このようにして、３０°の視野にて外科医が所望する画像センサ４０５内の画像データの位置を特定し、かつ以下で更に記載された技術を使用して、外科医のためにディスプレイ上に表示することができる。効果的に、５０°のプリズムの焦点は、（ノッチ４２５の位置に基づいて）図４Ａの左へと２０°シフトされて、１，０００画素×１，０００画素の配列４２０ａ内の円形領域により特定された、３０°の視野に焦点を合わせる。
【００３４】
図４Ｂ〜図４Ｄは、視野の特定の３０°部分を見るために、外科医がノッチ４２５を回転させることにより変更される、視野パターン４００を示す。図４Ｂは、外科医が視野の上部を見ている図を示す。図４Ｃは、外科医が視野の右部を見ている図を示す。図４Ｄは、外科医が視野の下部を見ている図を示す。
【００３５】
本実施態様の１つの更なる利点は、外科医が、所望するとおり、視野を介して視野角を依然として回転させ得ることである。しかし、外科医はまた、例えば、インターフェース素子１１０の１つとして実装されている、３０°〜５０°又は７０°の視野角を切り替えることができる。更なる利点は、画像センサ４０５内の１，０００画素×１，０００画素の配列４２０ａが、毎秒約２４０フレームにて読み出され得ることである。所望の画質が毎秒２４０フレームよりも非常に遅い読み出し速度で取得され得るため、画像取得及び処理回路１２０は、スコープ１００が回転した際に、ノッチ４２５の分毎回転を特定して、新しい１，０００画素×１，０００画素の配列４２０ａの位置を再計算し得る。換言すれば、１，０００画素×１，０００画素の配列４２０ａは、２４０フレームのそれぞれで特定され、かつ依然として望ましい画像出力を提供することができる。これにより、外科医は、ノッチ４２５を回転させながら一定の視野を維持することができる。
【００３６】
図５Ａは、図１に示すスコープ１２５が５０°のプリズムを組み込み、かつ７０°の視野角を提供するように調節された場合に実装される、図３に示す視野パターン３００に類似し得る、視野パターン５００の実施形態を示す。視野パターン５００は、４Ｋ画像センサであり得る画像センサ５０５の表示を含む。画像センサ５０５は、上述の画像センサ２００に対する実装及び説明と同様の方法で実装されてよい。視野パターン５００は、５０°のプリズムを介して見ることができる視野全体を包含する広い視野５１０を含む。図５Ａにて示すように、画像センサ５０５上に視野５１０が置かれて、画像センサ５０５上の場面から画像情報を収集する各画素の近似位置を示す。視野パターン５００は、画像センサ５０５の中心部分を表す中心焦点５１５を更に示す。
【００３７】
視野パターン５００は、ノッチ５２５により特定された視野の特定の部分における７０°の場面に対応する、特定の１，０００画素×１，０００画素の配列５２０ａの表示を更に含む。図１に示すインターフェース素子１１０を使用してスコープ１２５を操作することにより、外科医は、特定の７０°の視野角を変更又は回転させて、手術場面の異なる７０°部分を見ることができる。ノッチ５２５は、外科医がどの方向が上、下、左、又は右であるかを特定することができるように、外科医が手術場面の７０°部分を見るための配向点を外科医に提供する。
【００３８】
しかし、外科医が視野角を回転させると、所望の画像情報を受信する画素配列５０５上の画素の、対応する位置が変わる。換言すれば、特定の１，０００画素×１，０００画素の配列５２０ａは、ノッチ５２５により指定された特定の視野角に関連付けられてよい。図５Ａにて示すように、７０°の視野角は、ノッチ５２５上で（例えば、ノッチ５２５により二分され）直接画像センサ上に配置された１，０００画素×１，０００画素の配列５２０ａ内に、画像情報を記憶させることができる。このようにして、７０°の視野にて外科医が所望する画像センサ５０５内の画像データの位置を特定し、かつ以下で更に記載された技術を使用して、外科医のためにディスプレイ上に表示することができる。効果的に、５０°のプリズムの焦点は、（ノッチ５２５の位置に基づいて）図５Ａの右へと２０°シフトされて、１，０００画素×１，０００画素の配列５２０ａ内の円形領域により特定された、７０°の視野に焦点を合わせる。
【００３９】
図５Ｂ〜図５Ｄは、視野の特定の７０°部分を見るために、外科医がノッチ５２５を回転させることにより変更される、視野パターン５００を示す。図５Ｂは、外科医が視野の上部を見ている図を示す。図５Ｃは、外科医が視野の右部を見ている図を示す。図５Ｄは、外科医が視野の下部を見ている図を示す。
【００４０】
本実施態様の１つの更なる利点は、外科医が、所望するとおり、視野を介して視野角を依然として回転させ得ることである。しかし、外科医はまた、例えば、ただ単にボタンを押下することにより、インターフェース素子１１０の１つとして実施される、７０°〜５０°又は３０°の視野角を切り替えることができる。更なる利点は、画像センサ５０５内の１，０００画素×１，０００画素の配列５２０ａが、毎秒約２４０フレームにて読み出され得ることである。所望の画質が毎秒２４０フレームよりも非常に遅い読み出し速度で取得され得るため、画像取得及び処理回路１２０は、スコープ１００が回転した際に、ノッチ５２５の分毎回転を特定して、新しい１，０００画素×１，０００画素の配列５２０ａの位置を再計算し得る。換言すれば、１，０００画素×１，０００画素の配列５２０ａは、２４０フレームのそれぞれで特定され、かつ依然として望ましい画像出力を提供することができる。これにより、外科医は、ノッチ５２５を回転させながら一定の視野を維持することができる。
【００４１】
図６Ａは、図１に示すスコープ１２５が５０°のプリズムを組み込み、かつ５０°の視野角を提供するように調節された場合に実施される、図３に示す視野パターン３００に類似し得る、視野パターン６００の実施形態を示す。視野パターン６００は、４Ｋ画像センサであり得る画像センサ６０５の表示を含む。画像センサ６０５は、上述の画像センサ２００に対する実装及び説明と同様の方法で実装されてよい。視野パターン６００は、５０°のプリズムを介して見ることができる視野全体を包含する広い視野６１０を含む。図６Ａにて示すように、画像センサ６０５上に視野６１０が置かれて、画像センサ６０５上の場面から画像情報を収集する各画素の近似位置を示す。視野パターン６００は、画像センサ６０５の中心部分を表す中心焦点６１５を更に示す。
【００４２】
視野パターン６００は、ノッチ６２５により特定された視野の特定の部分における５０°の視野の場面に対応する、特定の１，０００画素×１，０００画素の配列６２０ａの表示を更に含む。図１に示すインターフェース素子１１０を使用してスコープ１２５を操作することにより、外科医は、特定の５０°の視野角を変更又は回転させて、手術場面の異なる５０°部分を見ることができる。ノッチ６２５は、外科医がどの方向が上、下、左又は右であるかを特定することができるように、外科医が手術場面の５０°部分を見るための配向点を外科医に提供する。
【００４３】
この独自の実施形態では、外科医が視野角を回転させた際に、所望の画像情報を受信する画像センサ６０５上の画素の対応する位置は、５０°のプリズムがスコープ１２５上に設置されるため、画像センサ６０５上の同じ場所に留まる。したがって、５０°の視野角は、ノッチ６２５の位置にかかわらず、特定の１，０００画素×１，０００画素の配列６２０ａに常に関連付けられてよい。ノッチ６２５は、異なる５０°の視野角（例えば、５０°見上げる、又は５０°見下げる）を特定するようにスコープを向けることができるが、画像データを受信する画素の位置は、５０°のプリズムの使用により同じままである。したがって、図６Ａに示すように、５０°の視野角は、１，０００画素×１，０００画素の配列６２０の中心画素が、画像センサ６０５を構成する２，０００×２，０００画素の配列の中心画素であるように配置された１，０００画素×１，０００画素の配列６２０ａに、画像情報を記憶させることができる。このようにして、５０°の視野にて外科医が所望する画像センサ６０５内の画像データの位置を特定し、かつ以下で更に記載された技術を使用して、外科医のためにディスプレイ上に表示することができる。
【００４４】
図６Ｂ〜図６Ｄは、視野の特定の５０°部分を見るために、外科医がノッチ６２５を回転させることにより変更される、視野パターン６００を示す。図６Ｂは、外科医が視野の上部を見ている図を示す。図６Ｃは、外科医が視野の右部を見ている図を示す。図６Ｄは、外科医が視野の下部を見ている図を示す。
【００４５】
本実施態様の１つの更なる利点は、外科医が、所望するとおり、視野を介して視野角を依然として回転させ得ることである。しかし、外科医はまた、例えば、ただ単にボタンを押下することにより、インターフェース素子１１０の１つとして実施される、５０°〜３０°又は７０°の視野角を切り替えることができる。更なる利点は、画像センサ６０５内の１，０００画素×１，０００画素の配列６２０ａが、毎秒約２４０フレームにて読み出され得ることである。所望の画質が毎秒２４０フレームよりも非常に遅い読み出し速度で取得され得るため、画像取得及び処理回路１２０は、スコープ１００が回転した際に、ノッチ６２５の分毎回転を特定して、５０°の視野角と関連付けられた１，０００画素×１，０００画素の配列６２０ａの周知の配置を読み取ることができる。換言すれば、１，０００画素×１，０００画素の配列６２０ａは、２４０フレームのそれぞれで読み取りされ、かつ望ましい画像出力を提供することができる。これにより、外科医は、ノッチ６２５を回転させながら一定の視野を維持することができる。
【００４６】
図７Ａは、従来どおり５０°のプリズムを組み込まない図１に示すスコープ１２５の実装に対応する、視野パターン７００の実施形態を示す。むしろ、図７Ａの実施形態では、スコープ１２５は、０°のオフセットを伴う１８０°のレンズなどの広い視野レンズを装着している。その他のレンズは、１８０°のレンズで置換されてよい。典型的には、１２５°と１８０°との間の任意のレンズが、本実施態様において好適である。本実施形態で使用されるレンズは、魚眼レンズであってもよく、又は魚眼レンズでなくてもよい。しかし、本実施形態ではプリズムを使用して視野角を屈曲させず、また本実施形態では０°のオフセットが存在することに留意されたい。しかし、画像センサ７０５などの画像センサの特定の部分を特定することにより、レンズの視野内の特定の視野角は、以下で論じる技術を使用して、外科医のスコープを用いた予想及び経験と一致する様式にて提供されてよい。
【００４７】
視野パターン７００は、４Ｋ画像センサであり得る画像センサ７０５の表示を含む。画像センサ７０５は、上述の画像センサ２００に対する実装及び説明と同様の方法で実装されてよい。視野パターン７００は、広い視野のレンズを介して見ることができる視野全体を包含する、広い視野７１０を含む。図７Ａにて示すように、画像センサ７０５上に視野７１０が置かれて、画像センサ７０５上の場面から画像情報を収集する各画素の近似位置を示す。視野パターン７００は、画像センサ７０５の中心部分を表す中心焦点７１５を更に示す。
【００４８】
視野パターン７００は、ノッチ７２５により特定された視野の特定の部分における３０°の場面に対応する、特定の１，０００画素×１，０００画素の配列７２０ａの表示を更に含む。しかし、本実施形態では、スコープ１２５の物理的回転は必要ではない。むしろ、インターフェース素子１１０とインターフェース接続する外科医は、視野角及び視野の両方をデジタル的に変更してよい。それに応じて、画像取得及び処理回路１２０は、１，０００画素×１，０００画素の配列７２０ａを特定して、図７Ａにおいて右を見ている３０°の視野角である、所望の視野を発生させてよい。画像センサ７０５は、３０°の視野角ごとに有効に捕捉し、かつ所望の３０°の視野角に対応するデータを含む画像センサ７０５の部分を読み出すことにより、対応する画像を選択的に生成することができる。ノッチ７２５は、外科医がどの方向が上、下、左又は右であるかを特定することができるように、ディスプレイ上に手術場面における基準点を依然として外科医に提供することができる。
【００４９】
しかし、スコープ１２５上のインターフェース素子１１０の使用により、外科医が視野角をデジタル的に回転させると、所望の画像情報を受信する画素配列７０５上の画素の、対応する位置が変わる。換言すれば、特定の１，０００画素×１，０００画素の配列７２０ａは、ノッチ７２５により指定された特定の視野角に関連付けられてよい。図７Ａに示すように、画像センサ７０５上に配置された１，０００画素×１，０００画素の配列７２０ａに画像情報を記憶させることができる３０°の視野角は、画像センサ７０５の中心点の周囲で垂直に中心に置かれた画像センサ７０５の中心部分を含んでよく、かつノッチ７２５に向かった方向に１，０００画素を延在させる。このようにして、３０°の視野角にて外科医が所望する画像センサ７０５内の画像データの位置を特定し、かつ以下で更に記載された技術を使用して、外科医のためにディスプレイ上に表示することができる。効果的に、レンズの焦点は、レンズにより画定される視野内にて選択された３０°の視野角を提供するために、デジタル的に３０°シフトされてよい。
【００５０】
図７Ｂ〜図７Ｄは、視野の特定の３０°部分を見るために、外科医がノッチ７２５をデジタル的に回転させることにより変更される、視野パターン７００を示す。図７Ｂは、外科医が視野の上部を見ている図を示す。図７Ｃは、外科医が視野の右部を見ている図を示す。図７Ｄは、外科医が視野の下部を見ている図を示す。
【００５１】
本実施態様の１つの更なる利点は、外科医が所望に応じて視野を介して視野角をデジタル的に回転し得る一方で、例えば、１つ以上のインターフェース素子１１０を使用して、視野を７０°〜０°又は３０°にデジタル的に切り替えることもできる、ということである。更なる利点は、画像センサ７０５内の１，０００画素×１，０００画素の配列７２０ａが、毎秒約２４０フレームにて読み出され得ることである。所望の画質が毎秒２４０フレームよりも非常に遅い読み出し速度で取得され得るため、画像取得及び処理回路１２０は、スコープ１００がデジタル的に回転した際に、ノッチ７２５のデジタル分毎回転に反応し得て、新しい１，０００画素×１，０００画素の配列７２０ａの位置を再計算し得る。換言すれば、１，０００画素×１，０００画素の配列７２０ａは、２４０フレームのそれぞれで特定され、かつ依然として望ましい画像出力を提供することができる。これにより、外科医は、ノッチ７２５をデジタル的に回転させながら一定の視野を維持することができる。
【００５２】
図８Ａは、従来どおりプリズムを組み込まない、図１に示すスコープ１２５の実装に対応する、視野パターン８００の実施形態を示す。むしろ、図８Ａの実施形態では、スコープ１２５は、０°のオフセットを伴う１８０°のレンズなどの広い視野レンズを装着している。その他のレンズは、１８０°のレンズで置換されてよい。典型的には、１２５°と１８０°との間の任意のレンズが、本実施態様において好適である。本実施形態で使用されるレンズは、魚眼レンズであってもよく、又は魚眼レンズでなくてもよい。しかし、本実施形態ではプリズムを使用して視野角を屈曲させず、また本実施形態では０°のオフセットが存在することに留意されたい。しかし、画像センサ８０５などの画像センサの特定の部分を特定することにより、レンズの視野内の特定の視野角は、以下で論じる技術を使用して、外科医のスコープを用いた予想及び経験と一致する様式にて提供されてよい。
【００５３】
視野パターン８００は、４Ｋ画像センサであり得る画像センサ８０５の表示を含む。画像センサ８０５は、上述の画像センサ２００に対する実装及び説明と同様の方法で実装されてよい。視野パターン８００は、広い視野のレンズを介して見ることができる視野全体を包含する、広い視野８１０を含む。図８Ａにて示すように、画像センサ８０５上に視野８１０が置かれて、画像センサ８０５上の場面から画像情報を収集する各画素の近似位置を示す。視野パターン８００は、画像センサ８０５の中心部分を表す中心焦点８１５を更に示す。
【００５４】
視野パターン８００は、ノッチ８２５により特定された視野の特定の部分における７０°の場面に対応する、特定の１，０００画素×１，０００画素の配列８２０ａの表示を更に含む。しかし、本実施形態では、スコープ１２５の物理的回転は必要ではない。むしろ、インターフェース素子１１０とインターフェース接続する外科医は、視野角及び視野の両方をデジタル的に変更してよい。それに応じて、画像取得及び処理回路１２０は、１，０００画素×１，０００画素の配列８２０ａを特定して、図７Ａにおいて右を見ている７０°の視野角である、所望の視野を発生させてよい。画像センサ８０５は、７０°の視野角ごとに有効に捕捉し、かつ所望の７０°の視野角に対応するデータを含む画像センサ８０５の部分を読み出すことにより、対応する画像を選択的に生成することができる。ノッチ８２５は、外科医がどの方向が上、下、左又は右であるかを特定することができるように、手術場面における基準点を依然として外科医に提供することができる。
【００５５】
しかし、スコープ１２５上のインターフェース素子１１０の使用により、外科医が視野角をデジタル的に回転させると、所望の画像情報を受信する画素配列７０５上の画素の、対応する位置が変わる。換言すれば、特定の１，０００画素×１，０００画素の配列８２０ａは、ノッチ８２５により指定された特定の視野角に関連付けられてよい。図８Ａにて示すように、画像センサ８０５上に配置された１，０００画素×１，０００画素の配列８２０ａに画像情報を記憶させることができる７０°の視野角は、１，０００画素×１，０００画素の配列の垂直端部の中心に配置される画像センサ７０５の中心画素を含み得、かつノッチ７２５に向かった方向に、その垂直端部から１，０００画素を延在させる。このようにして、７０°の視野角にて外科医が所望する画像センサ８０５内の画像データの位置を特定し、かつ以下で更に記載された技術を使用して、外科医のためにディスプレイ上に表示することができる。効果的に、レンズの焦点は、レンズにより画定される視野内にて選択された７０°の視野角を提供するために、デジタル的に７０°シフトされてよい。
【００５６】
図８Ｂ〜図８Ｄは、視野の特定の７０°部分を見るために、外科医がノッチ８２５をデジタル的に回転させることにより変更される、視野パターン８００を示す。図８Ｂは、外科医が、視野の上部（１，０００画素×１，０００画素の配列の水平端部の中心に配置された画像センサ８０５の中心点により画定された、１，０００画素×１，０００画素の配列）を見ている視野を示す。図８Ｃは、外科医が視野の右部を見ている図を示す。図８Ｄは、外科医が視野の下部を見ている図を示す。
【００５７】
本実施態様の１つの更なる利点は、外科医が所望に応じて視野を介して視野角をデジタル的に回転し得る一方で、例えば、１つ以上のインターフェース素子１１０を使用して、視野を７０°〜０°又は３０°にデジタル的に切り替えることもできる、ということである。更なる利点は、画像センサ８０５内の１，０００画素×１，０００画素の配列８２０ａが、毎秒約２４０フレームにて読み出され得ることである。所望の画質が毎秒２４０フレームよりも非常に遅い読み出し速度で取得され得るため、画像取得及び処理回路１２０は、スコープ１００がデジタル的に回転した際に、ノッチ８２５のデジタル分毎回転に反応し得て、新しい１，０００画素×１，０００画素の配列８２０ａの位置を再計算し得る。換言すれば、新しい１，０００画素×１，０００画素の配列８２０ａは、２４０フレームのそれぞれで特定され、かつ依然として望ましい画像出力を提供することができる。これにより、外科医は、ノッチ８２５をデジタル的に回転させながら一定の視野を維持することができる。
【００５８】
図９Ａは、従来どおりプリズムを組み込まない、図１に示すスコープ１２５の実装に対応する、視野パターン９００の実施態様を示す。むしろ、図８Ａの実施形態では、スコープ１２５は、０°のオフセットを伴う１８０°のレンズなどの広い視野レンズを装着している。その他のレンズは、１８０°のレンズで置換されてよい。典型的には、１２５°と１８０°との間の任意のレンズが、本実施態様において好適である。本実施形態で使用されるレンズは、魚眼レンズであってもよく、又は魚眼レンズでなくてもよい。しかし、本実施形態ではプリズムを使用して視野角を屈曲させず、また本実施形態では０°のオフセットが存在することに留意されたい。しかし、画像センサ９０５などの画像センサの特定の部分を特定することにより、レンズの視野内の特定の視野角は、以下で論じる技術を使用して、外科医のスコープを用いた予想及び経験と一致する様式にて提供されてよい。
【００５９】
視野パターン９００は、４Ｋ画像センサであり得る画像センサ９０５の表示を含む。画像センサ９０５は、上述の画像センサ２００に対する実装及び説明と同様の方法で実装されてよい。視野パターン９００は、レンズを介して見ることができる視野全体を包含する広い視野９１０を含む。図９Ａにて示すように、画像センサ９０５上に視野パターン９１０が置かれて、画像センサ９０５上の場面から画像情報を収集する各画素に関する近似位置を示す。視野パターン９００は、画像センサ９０５の中心部分を表す中心焦点９１５を更に示す。
【００６０】
視野パターン９００は、ノッチ９２５により特定された視野の特定の部分における０°の視野の場面に対応する、特定の１，０００画素×１，０００画素の配列９２０ａの表示を更に含む。図１に示すインターフェース素子１１０を使用してスコープ１２５を操作することにより、外科医は、特定の０°の視野角をデジタル的に変更又はデジタル的に回転させて、手術場面の異なる０°部分を見ることができる。ノッチ９２５は、外科医がどの方向が上、下、左又は右であるかを特定することができるように、外科医が手術場面の０°部分を見るための配向点を外科医に提供する。
【００６１】
この独自の実施形態では、外科医が視野角をデジタル的に回転させた際に、所望の画像情報を受信する画像センサ９０５上の画素の対応する位置は、光の角度を屈曲させないレンズがスコープ１２５上に設置されるため、画像センサ９０５上の同じ場所に留まる。したがって、０°の視野角は、ノッチ９２５の位置にかかわらず、特定の１，０００画素×１，０００画素の配列９２０ａに常に関連付けられてよい。ノッチ９２５は、異なる０°の視野角（例えば、０°見上げる、又は０°見下げる）を特定するようにスコープを向けることができるが、画像データを受信する画素の位置は、レンズの使用により同じままである。したがって、図９Ａに示すように、０°の視野角は、１，０００画素×１，０００画素の配列９２０の中心画素が、画像センサ９０５を構成する２，０００×２，０００画素の配列の中心画素であるように配置された１，０００画素×１，０００画素の配列９２０ａに、画像情報を記憶させることができる。このようにして、０°の視野にて外科医が所望する画像センサ９０５内の画像データの位置を特定し、かつ以下で更に記載された技術を使用して、外科医のためにディスプレイ上に表示することができる。
【００６２】
図９Ｂ〜図９Ｄは、視野の特定の０°部分を見るために、外科医がノッチ９２５をデジタル的に回転させることにより変更される、視野パターン９００を示す。図９Ｂは、外科医が視野の上部を見ている図を示す。図９Ｃは、外科医が視野の右部を見ている図を示す。図９Ｄは、外科医が視野の下部を見ている図を示す。
【００６３】
本実施態様の１つの更なる利点は、外科医が所望に応じて視野を介して視野角をデジタル的に回転し得る一方で、例えば、１つ以上のインターフェース素子１１０を使用して、視野を０°〜３０°又は７０°にデジタル的に切り替えることもできる、ということである。更なる利点は、画像センサ９０５内の１，０００画素×１，０００画素の配列９２０ａが、毎秒約２４０フレームにて読み出され得ることである。所望の画質が毎秒２４０フレームよりも非常に遅い読み出し速度で得られ得るため、画像取得及び処理回路１２０は、ノッチ９２５の分毎デジタル回転に反応し得る。０°に関連する１，０００画素×１，０００画素の配列９２０ａは、２４０フレームのそれぞれで読み出され、かつ依然として望ましい画像出力を提供し得る。これにより、外科医は、ノッチ９２５をデジタル的に回転させながら一定の視野を維持することができる。
【００６４】
図１０は、視野における特定の視野角で視野を提供するために、４Ｋの画素配列内における画素の選択を特定するための方法１０００を示す。図１に示す画像取得及び処理回路１２０が、以下により詳細に記載されるプロセッサの使用により、スコープ１２５に対する所望の視野角の指示を受信し得る工程１００５にて、方法１０００が開始する。例えば、外科医は、実施形態に応じて、外科医はインターフェース素子１１０を操作し、０°、３０°、５０°又は７０°の視野角を所望することを示してよい。工程１００５の一部として、スコープ１２５に対する所望の視野角の特定を受信すると、プロセッサは、図４Ａ〜４Ｄに記載されたノッチ４２５及びその他の図に記載されたその他のノッチなどのノッチの、物理的又はデジタル的操作による視野角の指示を受信し得る。一度プロセッサがスコープ１２５の所望の視野及び視野角を決定すると、プロセッサは、工程１０１０において、画像センサ上の４Ｋの画素配列内の１，０００画素×１，０００画素の画素配列を特定し得て、その画像センサ内では、特定の選択された視野及び視野角に関する画像情報が特定されている。
【００６５】
一旦、特定の選択された視野及び視野角に関連付けられた特定の１，０００画素×１，０００画素の配列が特定されると、工程１０１５において、特定された１，０００画素×１，０００画素の画素配列を露光して、手術現場から画像データを受信し得る。例えば、光は、図２に示す画像センサ２００などの画像センサ内の画素により感知され得る手術現場へと、放出されてよい。画像センサ内のこれらの画素は、手術現場の映像表示を提供するために使用され得る光情報を記憶する。画像センサ上の画素の露光により受信されたこの光情報は、工程１０２０において、１，０００画素×１，０００画素の配列で読み出され得る。工程１０２５において、プロセッサは、関連する読み出しデータを処理し、かつ工程１０３０において、読み出しデータから映像画像を生成し得る。このようにして、毎秒２４０フレームにて捕捉された種々のフレームを一緒に組み立てて、外科医により決定された視野及び視野角における、映像に基づく手術現場の視野を提供してよい。
【００６６】
有利には、図２に示す画像センサ２００などの画像センサの１／４のみが、特定の手術現場における特定の視野及び視野角を提供するために必要となり、４Ｋ画像センサを使用した場合には、画像情報を受信し得るその他の画素を、その他の目的のために使用することができる。例えば、フレーム速度が毎秒２４０フレームから減速された場合、これらの画素は、赤外線情報、色情報、分光情報、紫外線情報、拡張現実情報、又は手術現場からのその他の情報などの、追加情報を受信し得る。
【００６７】
画像センサ２００などの画像センサがボタン状態をコード化して、図１に示す画像取得及び処理回路１２０などの画像取得及び処理回路へと情報を送達するように、映像ストリームにおいてインターフェース素子から情報をコード化することにより、インターフェース素子１１０から情報を受信するために、ヘッドカメラへのデータラインの接続を排除することが更に可能である。したがって、画像取得及び処理回路は、インターフェース素子１１０との相互作用に適切に応答し得る。
【００６８】
１，０００画素×１，０００画素の配列のみを読み出す代わりに、毎秒６０フレームの遅いフレーム速度にもかかわらず、プロセッサが、４Ｋセンサ全体を読み出し得ることもまた可能である。しかし、前述の技術を使用して、もし存在するならば、２つの異なる視野の間に重なる画素を特定することにより、特定の視野に対して２つの視野角を同時に提供することが可能である。このようにして、第１の視野角の映像ストリームを第１のディスプレイに提供しつつ、同時に、第２の視野又は角度に関する映像ストリームを第２のディスプレイに提供することができる。これらの異なる視野を互いに重ね合わせることもまた可能である。例えば、拡張現実視野は画像センサにより捕捉されてよく、一方で、拡張現実視野が同じディスプレイ上に重ねられ得るように、所望の視野角が表示される。
【００６９】
図１１は、光不足環境において画像生成に使用するための、動作中における、図１に示すスコープを使用した４Ｋセンサ及び電磁エミッタのシステムの実施形態の、概略図を示す。図１１は、光不足環境において画像を生成する使用の動作中の対であるセンサと電磁エミッタとの略図を示す。このような構成により、光が制御された環境又は周囲光不足環境において機能を向上させることができる。
【００７０】
本明細書で使用されるとき、用語「光」は、粒子と波長の両方であり、画素アレイによって検出可能な電磁放射線を意味するものとし、電磁放射線の可視スペクトル及び非可視スペクトルの波長を含む場合があることに留意されたい。用語「隔壁」は、全体のスペクトル未満である電磁スペクトルの所定の範囲の波長、換言すれば、電磁スペクトルの一部を構成する波長を意味するように、本明細書において使用される。本明細書で使用する場合、エミッタは、構成要素の物理特性、放出の強度、若しくは発光の持続時間、若しくは上記の全てに関して放出される又は動作し得る電磁スペクトルの部分に関して制御可能であり得る、光源である。エミッタは、任意のディザ処理された、拡散された、又はコリメート化された発光型で光を放出することができ、またデジタル方式で、又はアナログ方法若しくはアナログシステムを介して制御され得る。本明細書で使用する場合、電磁エミッタは、電磁エネルギーのバースト源であり、かつレーザ、ＬＥＤ、白熱光などの光源、又はデジタル制御され得る任意の光源を含む。
【００７１】
画像センサのピクセル配列は、エミッタと電気的に対にされてもよく、それにより、それらは、動作の間、双方の放出を受け取ることと、システム内部でなされた調整とに対して同期される。図１１に見ることができるように、エミッタ１１００は、レーザの形態で電磁放射線を放出するように調整することができ、これは、物体１１１０を照明するためにパルス化され得る。エミッタ１１００は、画素配列１１２２の動作及び機能に対応した間隔にて、パルスを発生させ得る。エミッタ１１００は、複数の電磁隔壁１１０５で光をパルス発生させることができるため、画素配列は電磁エネルギーを受信して、特定の電磁隔壁１１０５それぞれに（遅れずに）対応するデータセットを生成する。例えば、図１１は、画素配列（白黒）１１２２及びバックアップ回路を有する単色センサ１１２０を有するシステムを示し、画素配列１１２２は、任意の波長の電磁放射線に対して感応性を有する。画素配列１１２２は、例えば、図２に示す画像センサ２００と類似した４Ｋ画像センサとして実装される、４Ｋ画素配列であってよい。図に示された光エミッタ１１００は、赤の電磁隔壁１１０５ａ、青の電磁隔壁１１０５ｂ、及び緑の電気隔壁１１０５ｃを所望の順序で放出することができる、レーザエミッタであってよい。本開示の範囲を逸脱することなく、その他の光エミッタ１１００、例えば、デジタルアナログ系のエミッタ又はアナログ系のエミッタを図１１において使用することができる、と理解されよう。
【００７２】
動作中、任意の個々のパルスに対して単色センサ１１２０により生成されたデータは、特定の色隔壁を割り当てられ得、この割り当てはエミッタ１１００からのパルス色隔壁のタイミングに基づいている。画素１１２２は色専用ではないものの、エミッタについての優先情報に基づいた任意の所与のデータセットに関して、色を割り当てることができる。
【００７３】
一実施形態では、赤、緑、及び青の電磁パルスを表す３つのデータセットが組み合わせられて、単一の画像フレームを形成し得る。本開示は、任意の特定の色の組み合わせ又は任意の特定の電磁隔壁に限定されず、かつ任意の色の組み合わせ又は任意の電磁隔壁は、赤、緑及び青の代わりに、シアン、マゼンタ、及びイエロー、紫外線、赤外線、前述の任意の組み合わせ、又は本開示の範囲から逸脱することなく全ての可視波長及び非可視波長を含む、任意のその他の色の組み合わせを使用し得る、と理解されよう。図では、撮像される物体１１１０は、赤色部分１１１０ａ、緑色部分１１１０ｂ、及び青色部分１１１０ｃを含有する。図に示すように、電磁パルスからの反射光は、パルス化された色隔壁に対応する特定の色を有する物体の一部に対する、データのみを含有する。これらの個々の色（又は色間隔）データセットは、次に、１１３０にてデータセットを結合させることにより、画像を再構築するために使用され得る。
【００７４】
図１２に示すように、本開示の実施態様では、以下で詳細に議論するように、例えば、１つ以上のプロセッサ及びシステムメモリなどのコンピュータハードウェアを含む専用又は汎用コンピュータを備え得る、又は利用し得る。本開示の範囲内の実施態様はまた、コンピュータ実行可能な命令及び／又はデータ構造を支持つまり記憶する、物理的媒体及びその他のコンピュータ可読媒体を含み得る。このようなコンピュータ可読媒体は、汎用又は専用コンピュータシステムによりアクセス可能な、任意の入手可能な媒体であってよい。コンピュータ実行可能な命令を記憶するコンピュータ可読媒体は、コンピュータストレージ媒体（装置）である。コンピュータ実行可能な命令を支持するコンピュータ可読媒体は、伝送媒体である。したがって、限定されない例として、本開示の実施態様では、少なくとも２つの明確に異なる種類のコンピュータ読み取り可能媒体、即ちコンピュータストレージ媒体（装置）と伝送媒体とを含むことができる。
【００７５】
コンピュータストレージ媒体（装置）としては、ＲＡＭ、ＲＯＭ、ＥＥＰＲＯＭ、ＣＤ−ＲＯＭ、ソリッドステートドライブ（「ＳＳＤ」）（例えば、ＲＡＭ対応）、フラッシュメモリ、相変化メモリ（「ＰＣＭ」）、その他の形式のメモリ、その他の光ディスクストレージ装置、磁気ディスクストレージ装置、又は、その他の磁気ストレージ装置、又は、コンピュータ実行可能な命令又はデータ構造の形である所望のプログラムコード手段を記憶するために使用することができ、かつ、汎用又は専用コンピュータによりアクセス可能な任意のその他の媒体が挙げられる。
【００７６】
「ネットワーク」は、コンピュータシステム及び／又はモジュール及び／又はその他の電子機器間の電子データの転送を可能にする１つ以上のデータリンクとして定義される。一実施態様では、センサ及びカメラ制御ユニットは、互いに通信するために、かつ接続先であるネットワーク上で接続されるその他の構成要素と通信するために、ネットワーク化され得る。情報がコンピュータにネットワーク上で又は別の通信接続（配線接続、無線、又は、配線接続若しくは無線の組み合わせ）で転送、つまり提供される場合、コンピュータは、接続を伝送媒体として適切にとらえる。伝送媒体は、コンピュータ実行可能命令又はデータ構造の形態の所望のプログラムコード手段を伝えるのに使用可能で、かつ汎用又は専用コンピュータによりアクセス可能なネットワーク及び／又はデータリンクを含むことができる。上記の組み合わせはまた、コンピュータ可読媒体の範囲内に含まれるべきである。
【００７７】
更に、コンピュータシステムの種々の構成要素に到達すると、伝送媒体からコンピュータストレージ媒体（装置）まで（逆もまた同様）自動的に転送することができる、コンピュータ実行可能命令又はデータ構造の形態のプログラムコード手段。例えば、ネットワーク又はデータリンク上で受信されたコンピュータ実行可能な命令又はデータ構造は、ネットワークインターフェースモジュール（例えば、「ＮＩＣ」）内でＲＡＭにおいてバッファリングされ、その後、最終的には、コンピュータシステムＲＡＭ及び／又はコンピュータシステムでの揮発性が小さいコンピュータストレージ媒体（装置）に転送することができる。また、ＲＡＭとしては、ソリッドステートドライブ（ＦｕｓｉｏｎＩＯなど、ＳＳＤ又はＰＣＩｘ対応実時間メモリ階層型ストレージ）を挙げることができる。したがって、コンピュータストレージ媒体（装置）は、伝送媒体をも利用する（又は主に利用する場合もある）コンピュータシステムの構成要素に含まれ得る、と理解するべきである。
【００７８】
コンピュータ実行可能な命令は、例えば、プロセッサにて実行された場合に、汎用コンピュータ、専用コンピュータ又は専用処理装置に、特定の機能又はグループの機能を実行させる命令及びデータを含む。コンピュータ実行可能命令は、例えば、バイナリ、アセンブリ言語などの中間フォーマット命令、又はソースコードであってよい。主題を構造上の特徴及び／又は方法の行為に特有の言語で記載してきたが、添付の特許請求の範囲内で定義する主題が必ずしも記載した特徴、又は、先述した行為に限定されるというわけではないことを理解するべきである。むしろ、記載した特徴及び行為は、本開示を実行するという代表的な形態として開示される。
【００７９】
当業者であれは、本開示が、パーソナルコンピュータ、デスクトップコンピュータ、ラップトップコンピュータ、メッセージプロセッサ、制御ユニット、カメラ制御ユニット、携帯用デバイス、ハンドピース、マルチプロセッサシステム、マイクロプロセッサ対応又はプログラマブル大衆消費電子製品、ネットワークＰＣ、ミニコンピュータ、メインフレームコンピュータ、携帯電話、ＰＤＡ、タブレット、ポケットベル、ルータ、スイッチ、種々のストレージ装置などを含め、多くの形式のコンピュータシステム構成を有するネットワークコンピューティング環境において実践され得ることを、理解するであろう。上述したコンピューティングデバイスのいずれかはブリック（brick）アンドモルタル（mortar）位置により提供され、ブリックアンドモルタル位置内に位置されてよい、という点に留意すべきである。本開示は、また、ネットワークを介して（配線接続データリンク、無線データリンク、又は、配線接続データリンク及び無線データリンクの組み合わせにより）結び付けられるローカル及びリモートコンピュータシステムが、両方ともタスクを実行する分散システム環境において、実践され得る。分布システム環境では、プログラムモジュールは、ローカル及びリモートメモリストレージ装置の両方に配置されてよい。
【００８０】
更に、適切な場合、本明細書に記載された機能を、ハードウェア、ソフトウェア、ファームウェア、デジタル構成要素、又はアナログ構成要素のうちの１つ以上で実行することができる。例えば、１つ以上の特定用途向け集積回路（ＡＳＩＣ）、又は、フィールドプログラマブルゲートアレイ（ＦＰＧＡ）は、本明細書にて記載するシステム及び手順の１つ以上を実行するように、プログラムすることができる。特定の用語が、特定のシステム構成要素を指すために以下の記述及び特許請求の範囲を通して使用される。当業者には理解されるように、構成要素を異なる名称により呼んでいる場合がある。本明細書では、名称が異なるが機能は異ならない構成要素を区別することは意図していない。
【００８１】
図１２は、代表的なコンピューティングデバイス１２５０を示すブロック図である。コンピューティングデバイス１２５０は、本明細書に記載した手順などのような、種々の手順を実行するために、使用することができる。コンピューティングデバイス１２５０は、サーバ、クライアント、又は、任意のその他のコンピューティングエンティティとして機能することができる。コンピューティングデバイス１２５０は、本明細書で記載したような種々のモニタリング機能を実行することができ、本明細書に記載したアプリケーションプログラムなどの１つ以上のアプリケーションプログラムを実行することができる。コンピューティングデバイス１２５０は、デスクトップコンピュータ、ノートブックコンピュータ、サーバコンピュータ、携帯型コンピュータ、カメラ制御ユニット、タブレットコンピュータなどの幅広い種類のコンピューティングデバイスのいずれかとすることができる。
【００８２】
コンピューティングデバイス１２５０は、１つ以上のプロセッサ１２５２、１つ以上の記憶装置１２５４、１つ以上のインターフェース１２５６、１つ以上の大容量ストレージ装置１２５８、１つ以上の入出力（Ｉ／Ｏ）装置１２６０、表示装置１２８０を含み、これらの全ては、バス１２６２に連結される。プロセッサ１２５２は、記憶装置１２５４及び／又は大容量ストレージ装置１２５８に格納される命令を実行する、１つ以上のプロセッサ又は制御装置を含む。プロセッサ１２５２はまた、キャッシュメモリなどの種々の種類のコンピュータ読み取り可能媒体を含むことができる。
【００８３】
記憶装置１２５４は、揮発性メモリ（例えば、ランダムアクセスメモリ（ＲＡＭ）１２６４）、及び／又は不揮発性メモリ（例えば、読み取り専用メモリ（ＲＯＭ）１２６６）などの、種々のコンピュータ読み取り可能媒体を含む。また、記憶装置１２５４としては、フラッシュメモリなど、再書き込み可能ＲＯＭを挙げることができる。
【００８４】
大容量ストレージ装置１２５８は、磁気テープ、磁気ディスク、光ディスク、ソリッドステートメモリ（例えば、フラッシュメモリ）などの、種々のコンピュータ読み取り可能媒体を含む。図２にて示すように、特定の大容量ストレージ装置はハードディスクドライブ１２７４である。種々のドライブはまた、種々のコンピュータ読み取り可能媒体からの読み取り、及び／又は、コンピュータ読み取り可能媒体への書き込みを可能にするための、大容量ストレージ装置１２５８に含まれ得る。大容量ストレージ装置１２５８は、取り外し可能媒体１２７６及び／又は取り外し不可媒体を含む。
【００８５】
Ｉ／Ｏデバイス（複数可）１２６０は、コンピューティングデバイス１２５０にデータ及び／又はその他の情報を入力したり、又はコンピューティングデバイス１２５０から取得したりできるようにする、種々の装置を含む。代表的なＩ／Ｏ装置１２６０としては、デジタル画像装置、電磁センサ及びエミッタ、カーソル制御装置、キーボード、キーパッド、マイク、モニタ、又は、その他の表示装置、スピーカ、プリンタ、ネットワークインターフェースカード、モデム、レンズ、ＣＣＤ、又は、その他の画像捕捉装置などが挙げられる。
【００８６】
表示装置１２８０としては、情報をコンピューティングデバイス１２５０の１人以上のユーザに表示することができる、任意の形式の装置が挙げられる。表示装置１２８０の例としては、モニタ、ディスプレイ端子、映像投影装置等が挙げられる。
【００８７】
インターフェース１２６０は、コンピューティングデバイス１２５０にその他のシステム、装置、又はコンピューティング環境と情報を交換させる、種々のインターフェースを含む。代表的なインターフェース１２５６は、ローカルエリアネットワーク（ＬＡＮ）、ワイドエリアネットワーク（ＷＡＮ）、無線ネットワーク、及びインターネットに対するインターフェースなどの、任意の数の異なるネットワークインターフェース１２７０を含んでよい。その他のインターフェースとしては、ユーザインターフェース１２６８及び周辺装置インターフェース１２７２が挙げられる。インターフェース１２５６はまた、１つ以上のユーザインターフェース要素１２６８を含んでよい。インターフェース１２５６はまた、プリンタ、ポインティング装置（マウス、トラックパッド等）、キーボードなどの１つ以上の周辺インターフェースを含んでよい。
【００８８】
バス１２６２により、プロセッサ１２５２、記憶装置１２５４、インターフェース１２５６、大容量ストレージ装置１２５８、及びＩ／Ｏ装置１２６０は、互いに通信可能であり、並びにバス１２６２に連結されたその他の装置又は構成要素と通信可能である。バス１２６２は、システムバス、ＰＣＩバス、ＩＥＥＥ  １３９４バス、ＵＳＢバスなど、いくつかの形式のバス構造体の１つ以上を表す。
【００８９】
例示を目的として、プログラム及びその他の実行可能なプログラム構成要素は、個別的なブロックとして本明細書にて示すが、このようなプログラム及び構成要素は、コンピューティングデバイス１２５０の異なるストレージ構成要素内に種々の時間にて常駐し得、かつ、プロセッサ１２５２により実行され得ることが、理解される。あるいは、本明細書で記載するシステム及び手順は、ハードウェア、又は、ハードウェア、ソフトウェア及び／又はファームウェアの組み合わせで実装され得る。例えば、１つ以上の特定用途向け集積回路（ＡＳＩＣ）、又は、フィールドプログラマブルゲートアレイ（ＦＰＧＡ）は、本明細書にて記載するシステム及び処置の１つ以上を実行するように、プログラムすることができる。
【００９０】
図１２は、繰り返される読み出しモードにて、又はセンサ読み出し１２００の間に使用されるセンサの、動作可能なサイクルを示す。フレーム読み出しは、垂直線１２１０で表され得、そこで開始され得る。読み出し期間は、対角線又は斜線１２０２で表される。センサは列単位で読み出されてよく、下向きの傾斜縁の頂部はセンサ先頭の列１２１２であり、下向きの傾斜縁の底部はセンサ底部の列１２１４である。最後の列の読み出しと次の読み出しサイクルとの間の時間は、ブランキング時間１２１６と称され得る。センサ画素列のうちのいくつかは、遮光（例えば、金属コーティング又は任意のその他の、別の種類の材料の実質的黒の層）で覆われ得ることに、留意されたい。これらの覆われた画素列は、光学的黒の列１２１８及び１２２０と称され得る。光学的黒の列１２１８及び１２２０は、補正アルゴリズムのための入力として使用されてよい。図１２Ａにて示すように、これらの光学的黒の列１２１８及び１２２０は、画素配列の上部、又は画素配列の底部、又は画素配列の上部及び下部に配置されてよい。図１２Ｂは、電磁放射線、例えば、画素に露光され、それにより、画素により統合される又は蓄積される、光の量を制御する処理を示す。光子は、電磁放射線の素粒子であることが理解されよう。光子は、各画素により統合、吸収、又は蓄積され、電荷又は電流に変換される。電子シャッタ又は巻き上げシャッタ（破線１２２２で示される）は、画素を再設定することにより、積分時間を開始させることができる。次に、光は、次の読み出し段階まで統合し得る。電子シャッタ１２２２の位置は、光の所与の量に対する画素飽和を制御するために、２つの読み出しサイクル１２０２の間で移動し得る。この技法は、２つの異なる回線の間で一定の積分時間を可能にするが、先頭列から最下列に移動する場合に遅延を生じる、ということに留意されたい。図１２Ｃは、電子シャッタ１２２２が取り外された場合を示す。この構成では、入射光の積分を読み出し１２０２中に開始することができ、次の積分の開始をも定義する次の読み出しサイクル１２０２にて終了し得る。図１２Ｄは、電子シャッタ１２２２を有さないが、ブランキング時間１２１６中に、制御されかつパルス光１２３０を有する構成を示す。これにより、全ての列は、同じ光パルス１２３０から発せられた同じ光を見ることができる。換言すれば、各列は暗い環境においてその統合を開始し得、これは最大光パルス幅に対して、読み出しフレーム（ｍ）の光学的黒の後列１２２０にあってもよく、また次に、光ストロボを受光し得て、暗い環境においてその統合を終了し得るが、これは、最大光パルス幅に対して、次の後続の読み出しフレーム（ｍ＋１）の光学的黒の前列１２１８にあってよい。図１２Ｄでは、例えば、光パルスから生成された画像は、フレーム（ｍ）及び（ｍ＋２）とのいずれの干渉もなしに、フレーム（ｍ＋１）読み出し中にのみ利用可能であり得る。１フレーム内でのみ読み取られ、かつ隣接フレームに干渉しない光パルスを有する条件が、ブランキング時間１２１６中に、所与の光パルス発射を有する、という点に留意すべきである。光学的黒の列１２１８、１２２０は光に対して非感応性である故に、フレーム（ｍ）の光学的黒の後列１２２０及びフレーム（ｍ＋１）の光学的黒の前列１２１８をブランキング時間１２１６に追加して、光パルス１２３０の発射時間の最大範囲を決定することができる。図１２に示すように、センサは、各パルス色（例えば、赤、緑、青）に関するデータを受信するために、何度も循環されてよい。各サイクルは、時間調整され得る。ある実施形態では、サイクルは、１６．６７ｍｓの間隔内で動作するように時間調整され得る。別の実施形態では、サイクルは、８．３ｍｓの間隔内で動作するように時間調整され得る。その他の時間間隔が本開示で企図され、かつ本開示の範囲内であると意図されることが、理解されよう。
【００９１】
図１３は、電磁エミッタの一実施形態の動作をグラフ的に示す。エミッタは、センサのサイクルに対応するように時間を決めることができるので、電磁放射線はセンサ動作サイクル内及び／又はセンサ動作サイクルの一部の間で放出される。図１３は、１３０２におけるパルス１、１３０４におけるパルス２、及び１３０６におけるパルス３を示す。一実施形態では、エミッタは、センサ動作サイクルの読み出し部分１２０２中で、パルスを発生させることができる。一実施形態では、エミッタは、センサ動作サイクルのブランキング部分１２１６中で、パルスを発生させることができる。一実施形態では、エミッタは、２つ以上のセンサ動作サイクルの部分中の持続時間に、パルスを発生させることができる。一実施形態では、エミッタは、ブランキング部分１２１６中で、又は読み出し部分１２０２の光学的黒の部分１２２０中で、パルス発生を開始し得、また読み出し部分１２０２中で、又は次に続くサイクルの読み出し部分１２０２の光学的黒の部分１２１８中で、パルス発生を終了させ得る。上記の任意の組み合わせは、エミッタのパルスとセンサのサイクルが一致する限り、本開示の範囲内に該当するように意図される、と理解されるであろう。
【００９２】
図１４は、露光を制御するために、放出された電磁パルスの持続時間及び振幅の変化（例えば、１４０２におけるパルス１、１４０４におけるパルス２、及び１４０６におけるパルス３）をグラフで表す。一定の出力振幅を有するエミッタは、必要とされる電磁エネルギーを画素配列に付与するための間隔で、図１２Ｄ及び１３に関連して上述したサイクルのいずれかの間に、パルス化され得る。一定の出力振幅を有するエミッタは、より長い間隔でパルス化することにより、より大きな電磁エネルギーを画素に付与し得る、又は、本エミッタは、より短い間隔でパルス化することにより、より小さい電磁エネルギーを付与し得る。長い間隔か、又は短い間隔が必要かどうかは、動作条件に依存する。
【００９３】
エミッタが一定の出力振幅をパルス化する時間の間隔を調整するのとは対照的に、発光自体の振幅は、より大きな電磁エネルギーを画素に付与するために増加し得る。同様に、パルスの振幅を縮小させると、より小さい電磁エネルギーが画素に与えられる。システムの一実施形態は、所望であれば、振幅及び持続時間の両方を同時に調整する能力を有することができることに、留意されたい。また、センサは、最適な画像品質に対し所望の感度及び持続時間を増加させるように、調整され得る。図１４は、パルスの振幅及び持続時間を変化させることを示す。図では、１４２０におけるパルス１は、１４０４におけるパルス２又は１４０６におけるパルス３のいずれかよりも大きい振幅又は強度を有する。なお、１４０２におけるパルス１は、１４０４におけるパルス２又は１４０６におけるパルス３よりも短い持続時間を有し、これにより、パルスにより提供される電磁エネルギーは、図に示されるパルスの下の領域により示される。図では、１４０４におけるパルス２は、１４０２におけるパルス１又は１４０６におけるパルス３のいずれかと比較した場合に、比較的小さい振幅又は強度及びより長い持続時間を有する。最後に、図では、１４０６におけるパルス３は、１４０２におけるパルス１及び１４０４におけるパルス２と比較した場合に、中度の振幅又は強度及び持続時間を有する。
【００９４】
図１５は、図１２〜図１４の動作サイクル、電磁エミッタ、及び放出された電磁パルスを組み合わせて、本開示の原理及び教示に従った、動作中の撮像システムを実証する、本開示の実施形態のグラフ表示を示す。図に見られるように、電磁エミッタは、主にセンサのブランキング期間１２１６中に放出パルス発生させ、これにより、センササイクルの読み出し部分１２０２中に画素が充電され得て、読み出し準備が整う。パルスにおける破線部分（図１３から）は、電磁エネルギーをパルス化するために追加の時間が必要である、又は所望される場合に、読み取りサイクル（センササイクル）１２００の光学的黒い部分１２２０及び１２１８中で電磁エネルギーを放出する潜在力又は能力を示す。
【００９５】
図１６は、全スペクトル光及び分割スペクトル光に関して映像のフレームを記録するための、ｔ（０）〜ｔ（１）までの期間にわたる２つの別個のプロセスの概略図を示す。色センサは、全スペクトル光受信に一般的に使用される画素当たりの特定の波長の光をフィルタリングするための、カラーフィルタアレイ（ＣＦＡ）を有することに、留意されたい。ＣＦＡの例は、ベイヤーパターンである。色センサが全スペクトル内から単一の色に感応的に作られた配列内の画素を含み得る故に、画素配列が、全スペクトル内の単一の光のみに専用の画素空間を有するため、低解像度の画像結果が得られる。通常、このような配列は、配列全体にわたって、チェッカーボード型パターンにて形成される。
【００９６】
対照的に、光の分割されたスペクトルが使用される場合、各サイクルにおける電磁エネルギーの全スペクトルの所定の隔壁から電磁エネルギーを感知するように画素配列が指示される故に、全ての光エネルギーの振幅に感知し得る又は応答し得るセンサを、作製することができる。したがって、画像を形成するために、センサは、光の全スペクトル内から複数の異なる隔壁でのみで循環され、また次に、画像を再組み立てして、配列中の全ての画素に対する、色値の所定の混合を表示することが必要となる。したがって、色パルスのそれぞれについて、同じ色感度の画素中心間のベイヤーセンサと比較して距離が低減されているため、より高解像度の画像も提供される。その結果、形成された有色画像は、より高い変調伝達関数（ＭＴＦ）を有する。各色分割フレームサイクルからの画像がより高い解像度を有する故に、分割された光フレームがフルカラーフレームに統合された場合に生成される結果として生じる画像もまた、より高い解像度を有する。換言すれば、配列内の全ての画素（多くても、カラーフィルタを伴うセンサ内の全ての第２の画素の代わりである）は、ほんの少しの個別の時間だけ、所与のパルス及び所与の場面のためのエネルギーの振幅を感知する故に、導入される必要がある、より少なく得られた（正確性がより劣る）データを用いて、各場面に対し高い解像度の画像が作製される。
【００９７】
例えば、白色光又は全スペクトル可視光は、赤色光、緑色光、及び青色光の組み合わせである。図１６に示す実施形態では、分割スペクトルプロセス１６２０及び全スペクトルプロセス１６１０の両方において、画像を捕捉する時間はｔ（０）〜ｔ（１）であることが見ることができる。全スペクトルプロセス１６１０では、白色光又は全スペクトル電磁エネルギーが、１６１２において放出される。１６１４において、白色又は全スペクトルの電磁エネルギーが感知される。１６１６において、画像が処理され、かつ表示される。したがって、時間ｔ（０）とｔ（１）との間で、画像が処理され、かつ表示される。反対に、分割スペクトルプロセス１６２０では、第１の隔壁が１６２２において放出され、１６２４において感知される。１６２６において第２の隔壁が放出され、次いで、１６２８において感知される。１６３０において第３の隔壁が放出され、次いで、１６３２において感知される。１６３４において、画像が処理され、かつ表示される。白色光サイクルよりも少なくとも２倍速い画像センササイクルを使用する任意のシステムは、本開示の範囲内に含まれることが意図される、と理解されよう。
【００９８】
図１６に示す実施形態において、時間ｔ（０）とｔ（１）との間でグラフ的に見ることができるように、分割スペクトルシステム１６２０のセンサは、全スペクトルシステムの１つごとに３回循環している。分割スペクトルシステム１６２０では、３つのセンササイクルの第１は緑色スペクトル１６２２及び１６２４に関するものであり、３つのうちの第２は赤色スペクトル１６２６及び１６２８に関するものであり、第３は青色スペクトル１６３０及び１６３２に関するものである。したがって、表示装置（ＬＣＤパネル）が毎秒５０〜６０フレームで動作する一実施形態では、分割された光システムは、表示された映像の連続性及び平滑性を維持するために、毎秒１５０〜１８０フレームで動作するべきである。
【００９９】
その他の実施形態では、異なる捕捉及びディスプレイフレーム速度が存在し得る。更に、平均捕捉速度は、ディスプレイ速度の任意の倍数であってよい。
【０１００】
一実施形態では、全ての隔壁がシステムフレーム速度内で等しく表されないことが望ましい場合がある。換言すれば、使用者が望むように記録された場面の態様を強調し、また強調しないようにするために、全ての光源が同じ規則性でパルス化されなければならない。また、電磁スペクトルの非可視隔壁及び可視隔壁は、システム内で一緒にパルス化されてよく、それらのそれぞれのデータ値は、ユーザに表示するために所望される際に、映像出力へとステッチされていることも、理解されたい。
【０１０１】
一実施形態は、以下のようなパルスサイクルパターンを含んでよい。
緑色パルス、
赤色パルス、
青色パルス、
緑色パルス、
赤色パルス、
青色パルス、
赤外線（ＩＲ）パルス、
（繰り返し）
【０１０２】
実施例で見られるように、ＩＲ隔壁は、その他の分割パルスの速度とは異なる速度でパルス化されてよい。これは、場面の特定の態様を強調するために行われてもよく、ＩＲデータは、単に映像出力におけるその他のデータと重ねられて、所望の強調を行うことができる。第４の電磁隔壁の追加は、全ての隔壁がパルスパターンで等しく表されなければなくてもよい故に、シリアル化されたシステムが、全スペクトルの非シリアルシステムの速度の４倍にて動作することを必ずしも必要としない、ということに留意されたい。本実施形態に見られるように、パルスパターン（上記の実施例におけるＩＲ）にてより少なく表される隔壁パルスの追加は、不規則な隔壁サンプリングに適応するために、センサのサイクル速度の２０％未満の増加をもたらし得る。
【０１０３】
一実施形態では、場面の態様を強調するために使用される染料又は材料に感応的な電磁隔壁が放出されてよい。本実施形態では、高解像度を必要とせずに、染料又は材料の位置を強調するのに十分であり得る。このような実施形態では、染料感応性電磁隔壁は、強調データを含むために、システム内のその他の隔壁よりもはるかに少ない頻度で循環され得る。隔壁サイクルは、種々の撮像及び映像基準に対応する、又は近似するように分割されてよい。
【０１０４】
本明細書に記載された種々の特徴は、当該技術分野において重要な利点及び進歩をもたらすことが理解されよう。以下の特許請求の範囲は、これらの特徴の一部を例示する。
【実施例】
【０１０５】
以下の実施例は、本開示の更なる実施形態の特徴に関するものである。
【０１０６】
実施例１．プリズムを含むスコープと、
ハンドピースと、
２，０００画素×２，０００画素の画素配列を含む撮像センサと、
作動した場合に、プリズムを介して提供される視野角を単一画像読み出しフレーム内で変更させるインターフェース素子と、を備える、システム。
【０１０７】
実施例２．プリズムが５０°のプリズムである、実施例１を含む例示的実施形態。
【０１０８】
実施例３．視野角が３０°の視野角へと変更し得る、実施例１〜２のいずれかを含む例示的実施形態。
【０１０９】
実施例４．視野角が７０°の視野角へと変更し得る、実施例１〜３のいずれかを含む例示的実施形態。
【０１１０】
実施例５．視野角に関する画像情報に露光される画素に対応する、２，０００画素×２，０００画素の画素配列における、１，０００画素×１，０００画素の画素配列を特定する、画像取得及び処理回路を更に備える、実施例１〜４のいずれかを含む例示的実施形態。
【０１１１】
実施例６．プリズムを介して提供される視野角が第２の視野角へと変化する場合に、画像取得及び処理回路が、第２の視野角に関する画像情報に露光される画素に対応する、２，０００画素×２，０００画素の画素配列における、第２の１，０００画素×１，０００画素の画素配列を特定する、実施例１〜５のいずれかを含む例示的実施形態。
【０１１２】
実施例７．プリズムが回転可能である、実施例１〜６のいずれかを含む例示的実施形態。
【０１１３】
実施例８．第１の位置におけるプリズムに関する画像情報に露光される画素に対応する、２，０００画素×２，０００画素の画素配列における、１，０００画素×１，０００画素の画素配列を特定する、画像取得及び処理回路を更に備える、実施例１〜７のいずれかを含む例示的実施形態。
【０１１４】
実施例９．画像取得及び処理回路は、プリズムが第２の位置へと回転したことを検出し、それに応じて、第２の位置におけるプリズムに関する画像情報に露光される画素に対応する、２，０００画素×２，０００画素の画素配列における、第２の１，０００画素×１，０００画素の画素配列を特定する、実施例１〜８のいずれかを含む例示的実施形態。
【０１１５】
実施例１０．撮像センサから取得された情報とともに、表示装置上に表示されたノッチを更に備える、実施例１〜５のいずれかを含む例示的実施形態。
【０１１６】
実施例１１．スコープの遠位先端に配置されたプリズムと、
ハンドピースと、
２，０００画素×２，０００画素の画素配列を含む撮像センサと、
作動した場合に、プリズムを介して提供される視野角を単一画像読み出しフレーム内で変更させるインターフェース素子と、を備える、スコープ。
【０１１７】
実施例１２．プリズムが５０°のプリズムである、実施例１１を含む例示的実施形態。
【０１１８】
実施例１３．視野角が５０°である、実施例１１〜１２のいずれかを含む例示的実施形態。
【０１１９】
実施例１４．視野角が３０°である、実施例１１〜１３のいずれかを含む例示的実施形態。
【０１２０】
実施例１５．視野角が７０°である、実施例１１〜１４のいずれかを含む例示的実施形態。
【０１２１】
実施例１６．撮像センサが、５０°の視野角に関する画像情報を含有する２，０００画素×２，０００画素の画素配列内の、第１の１，０００画素×１，０００画素の画素配列を特定する、実施例１１〜１５のいずれかを含む例示的実施形態。
【０１２２】
実施例１７．プリズムの回転を検出し、それに応じて、回転した５０°の視野角を表す画像データを含有する、２，０００画素×２，０００画素の配列内の、第２の１，０００画素×１，０００画素の画素配列を特定する、画像取得及び処理回路を更に備える、実施例１１〜１６のいずれかを含む例示的実施形態。
【０１２３】
実施例１８．撮像センサが、３０°の視野角に関する画像情報を含有する２，０００×２，０００画素の画素配列内の、第１の１，０００画素×１，０００画素の画素配列を特定する、実施例１１〜１７のいずれかを含む例示的実施形態。
【０１２４】
実施例１９．プリズムの回転を検出し、それに応じて、回転した３０°の視野角を表す画像データを含有する、２，０００画素×２，０００画素の配列内の、第２の１，０００画素×１，０００画素の画素配列を特定する、画像取得及び処理回路を更に備える、実施例１１〜１８のいずれかを含む例示的実施形態。
【０１２５】
実施例２０．撮像センサが、７０°の視野角に関する画像情報を含有する２，０００×２，０００画素の画素配列内の、第１の１，０００画素×１，０００画素の画素配列を特定する、実施例１１〜１９のいずれかを含む例示的実施形態。
【０１２６】
実施例２１．プリズムの回転を検出し、それに応じて、回転した７０°の視野角を表す画像データを含有する、２，０００画素×２，０００画素の配列内の、第２の１，０００画素×１，０００画素の画素配列を特定する、画像取得及び処理回路を更に備える、実施例１１〜２０のいずれかを含む例示的実施形態。
【０１２７】
実施例２２．スコープの遠位先端においてプリズムを有し、かつ１つ以上のインターフェース素子を有するスコープを提供することと、
プロセッサにより、１つ以上のインターフェース素子のうちの１つから指示を受信して、スコープの遠位先端におけるプリズムにより提供される視野角を変更することと、
プロセッサにより、指示された視野角に対応する２，０００画素×２，０００画素の画素配列を有する画像センサ上の、１，０００画素×１，０００画素の画素配列を特定することと、
プロセッサにより、指示された視野角に対応する１，０００画素×１，０００画素の画素配列からの撮像データを受信することと、
表示装置上に表示するために、画像データから画像を生成することと、を含む、方法。
【０１２８】
実施例２３．指示された視野角に対応する１，０００画素×１，０００画素の配列を露光することを更に含む、実施例２２を含む例示的実施形態。
【０１２９】
実施例２４．２，０００画素×２，０００画素の画素配列が、４Ｋの撮像センサを提供する、実施例２２〜２３のいずれかを含む例示的実施形態。
【０１３０】
実施例２５．視野角が５０°から３０°へと変更される、実施例２２〜２４のいずれかを含む例示的実施形態。
【０１３１】
実施例２６．視野角が５０°から７０°へと変更される、実施例２２〜２５のいずれかを含む例示的実施形態。
【０１３２】
実施例２７．視野角が３０°から７０°へと変更される、実施例２２〜２６のいずれかを含む例示的実施形態。
【０１３３】
実施例２８．視野角が３０°から５０°へと変更される、実施例２２〜２７のいずれかを含む例示的実施形態。
【０１３４】
実施例２９．視野角が７０°から５０°へと変更される、実施例２２〜２８のいずれかを含む例示的実施形態。
【０１３５】
実施例３０．視野角が７０°から３０°へと変更される、実施例２２〜２９のいずれかを含む例示的実施形態。
【０１３６】
実施例３１．プロセッサにより、スコープの遠位先端におけるプリズムの回転指示及びプリズムの回転度に対応する第２の回転視野角を受信して、それに応じて、プロセッサにより、第２の回転視野角に対応する第２の１，０００画素×１，０００画素の画素配列を特定することを更に含む、実施例２２〜３０のいずれかを含む例示的実施形態。
【０１３７】
上述の構成、実施例、及び実施形態の任意の特徴は、開示された構成、実施例、及び実施形態のいずれかから取られた特徴の任意の組み合わせを含む単一の実施形態にて組み合わされてよい、と理解すべきである。
【０１３８】
前述の「発明を実施するための形態」では、本開示の種々の特性は、本開示の合理化の目的のために単一の実施形態に一緒にグループ化される。本開示の方法は、主張する主題には、各請求項において明示的に記載されるものより多い特徴部が必要であるという意図を反映するとは、解釈しないものとする。むしろ、発明の態様は前述の開示の単一の実施形態の全ての特徴より少ない特徴にある。
【０１３９】
上述の構成は、本開示の原理の適用を例示し得るにすぎないことを、理解されたい。多数の変形形態及び代替構成が、本開示の趣旨及び範囲から逸脱することなく当業者により考案され得、添付の本開示は、そのような変形形態及び構成を包含することが意図されている。
【０１４０】
したがって、本開示を、具体的かつ詳細に図面に示して上述してきたが、大きさ、材料、形状、形態、機能及び動作の方法、組み立て並びに用途の変形を含むが、これらに限定されない多数の変形形態を、本明細書で記載した原理及び概念を逸脱することなく行うことができることが、当業者に明らかであろう。
【０１４１】
更に、適切な場合、本明細書に記載される機能を、ハードウェア、ソフトウェア、ファームウェア、デジタル構成要素、又はアナログ構成要素のうちの１つ以上で実行することができる。例えば、１つ以上の特定用途向け集積回路（ＡＳＩＣ）、又は、フィールドプログラマブルゲートアレイ（ＦＰＧＡ）は、本明細書にて記載するシステム及び手順の１つ以上を実行するように、プログラムすることができる。特定の用語が、特定のシステム構成要素を指すために以下の記載及び本開示を通して使用される。当業者には理解されるように、構成要素を異なる名称により称している場合がある。本明細書では、名称が異なるが機能は異ならない構成要素を区別することは、意図していない。
【０１４２】
前述の記載は、例示及び説明を目的として提示したものである。網羅的であること、及び、開示した正確な形態に本発明を制限することを目的とするものではない。上記の教示に照らして、多くの変形形態及び変形が可能である。更に、上述した代替実施態様のいずれか又は全ては、本開示の更なる混成の実施態様を形成するために望まれる任意の組み合わせで使用され得る、という点に留意すべきである。
【０１４３】
更に、本開示の特定の実施態様を記載及び例示してきたが、本開示はそのように記載及び例示した部分の特定の形態並びに構成に限定されるべきではない。本開示の範囲は、本明細書に添付した特許請求の範囲、本明細書で提起する任意の今後の特許請求の範囲により、及び、異なる出願、及び、同等物により、定義されるべきである。
【０１４４】
〔実施の態様〕
（１）  システムであって、
プリズムを含むスコープと、
ハンドピースと、
２，０００画素×２，０００画素の画素配列を含む撮像センサと、
作動した場合に、前記プリズムを介して提供される視野角を単一画像読み出しフレーム内で変更させるインターフェース素子と、を備える、システム。
（２）  前記プリズムが５０°のプリズムである、実施態様１に記載のシステム。
（３）  前記視野角が３０°の視野角へと変更し得る、実施態様２に記載のシステム。
（４）  前記視野角が７０°の視野角へと変更し得る、実施態様２に記載のシステム。
（５）  前記視野角に関する画像情報に露光される画素に対応する、前記２，０００画素×２，０００画素の画素配列における、１，０００画素×１，０００画素の画素配列を特定する、画像取得及び処理回路を更に備える、実施態様１に記載のシステム。
【０１４５】
（６）  前記プリズムを介して提供される前記視野角が第２の視野角へと変化する場合に、前記画像取得及び処理回路が、前記第２の視野角に関する画像情報に露光される画素に対応する、前記２，０００画素×２，０００画素の画素配列における、第２の１，０００画素×１，０００画素の画素配列を特定する、実施態様５に記載のシステム。
（７）  前記プリズムが回転可能である、実施態様１に記載のシステム。
（８）  第１の位置における前記プリズムに関する画像情報に露光される前記画素に対応する、前記２，０００画素×２，０００画素の画素配列における、１，０００画素×１，０００画素の画素配列を特定する、画像取得及び処理回路を更に備える、実施態様７に記載のシステム。
（９）  前記画像取得及び処理回路は、前記プリズムが第２の位置へと回転したことを検出し、それに応じて、前記第２の位置における前記プリズムに関する画像情報に露光される前記画素に対応する、前記２，０００画素×２，０００画素の画素配列における、第２の１，０００画素×１，０００画素の画素配列を特定する、実施態様８に記載のシステム。
（１０）  前記撮像センサから取得された情報とともに、表示装置上に表示されたノッチを更に備える、実施態様１に記載のシステム。
【０１４６】
（１１）  スコープであって、
前記スコープの遠位先端に配置されたプリズムと、
ハンドピースと、
２，０００画素×２，０００画素の画素配列を含む撮像センサと、
作動した場合に、前記プリズムを介して提供される視野角を単一画像読み出しフレーム内で変更させるインターフェース素子と、を備える、スコープ。
（１２）  前記プリズムが５０°のプリズムである、実施態様１１に記載のスコープ。
（１３）  前記視野角が５０°である、実施態様１１に記載のスコープ。
（１４）  前記視野角が３０°である、実施態様１１に記載のスコープ。
（１５）  前記視野角が７０°である、実施態様１１に記載のスコープ。
【０１４７】
（１６）  前記撮像センサが、５０°の視野角に関する画像情報を含有する前記２，０００画素×２，０００画素の画素配列内の、第１の１，０００画素×１，０００画素の画素配列を特定する、実施態様１１に記載のスコープ。
（１７）  前記プリズムの回転を検出し、それに応じて、回転した５０°の視野角を表す画像データを含有する、前記２，０００画素×２，０００画素の配列内の、第２の１，０００画素×１，０００画素の画素配列を特定する、画像取得及び処理回路を更に備える、実施態様１６に記載のスコープ。
（１８）  前記撮像センサが、３０°の視野角に関する画像情報を含有する前記２，０００×２，０００画素の画素配列内の、第１の１，０００画素×１，０００画素の画素配列を特定する、実施態様１１に記載のスコープ。
（１９）  前記プリズムの回転を検出し、それに応じて、回転した３０°の視野角を表す画像データを含有する、前記２，０００画素×２，０００画素の配列内の、第２の１，０００画素×１，０００画素の画素配列を特定する、画像取得及び処理回路を更に備える、実施態様１６に記載のスコープ。
（２０）  前記撮像センサが、７０°の視野角に関する画像情報を含有する前記２，０００×２，０００画素の画素配列内の、第１の１，０００画素×１，０００画素の画素配列を特定する、実施態様１１に記載のスコープ。
【０１４８】
（２１）  前記プリズムの回転を検出し、それに応じて、回転した７０°の視野角を表す画像データを含有する、前記２，０００画素×２，０００画素の配列内の、第２の１，０００画素×１，０００画素の画素配列を特定する、画像取得及び処理回路を更に備える、実施態様１６に記載のスコープ。
（２２）  方法であって、
スコープの遠位先端においてプリズムを有し、かつ１つ以上のインターフェース素子を有する前記スコープを提供することと、
プロセッサにより、前記１つ以上のインターフェース素子のうちの１つから指示を受信して、前記スコープの前記遠位先端における前記プリズムにより提供される視野角を変更することと、
プロセッサにより、前記指示された視野角に対応する２，０００画素×２，０００画素の画素配列を有する画像センサ上の、１，０００画素×１，０００画素の画素配列を特定することと、
前記プロセッサにより、前記指示された視野角に対応する前記１，０００画素×１，０００画素の画素配列からの撮像データを受信することと、
表示装置上に表示するために、画像データから画像を生成することと、を含む、方法。
（２３）  前記指示された視野角に対応する前記１，０００画素×１，０００画素の配列を露光することを更に含む、実施態様２２に記載の方法。
（２４）  前記２，０００画素×２，０００画素の画素配列が、４Ｋの撮像センサを提供する、実施態様２２に記載の方法。
（２５）  前記視野角が５０°から３０°へと変更される、実施態様２２に記載の方法。
【０１４９】
（２６）  前記視野角が５０°から７０°へと変更される、実施態様２２に記載の方法。
（２７）  前記視野角が３０°から７０°へと変更される、実施態様２２に記載の方法。
（２８）  前記視野角が３０°から５０°へと変更される、実施態様２２に記載の方法。
（２９）  前記視野角が７０°から５０°へと変更される、実施態様２２に記載の方法。
（３０）  前記視野角が７０°から３０°へと変更される、実施態様２２に記載の方法。
【０１５０】
（３１）  プロセッサにより、前記スコープの前記遠位先端における前記プリズムの回転指示及び前記プリズムの回転度に対応する第２の回転視野角を受信して、それに応じて、プロセッサにより、前記第２の回転視野角に対応する第２の１，０００画素×１，０００画素の画素配列を特定することを更に含む、実施態様２２に記載の方法。
【図１】
2020006176.tif 000003
【図２】
2020006176.tif 000004
【図３】
2020006176.tif 000005
【図４Ａ】
2020006176.tif 000006
【図４Ｂ】
2020006176.tif 000007
【図４Ｃ】
2020006176.tif 000008
【図４Ｄ】
2020006176.tif 000009
【図５Ａ】
2020006176.tif 000010
【図５Ｂ】
2020006176.tif 000011
【図５Ｃ】
2020006176.tif 000012
【図５Ｄ】
2020006176.tif 000013
【図６Ａ】
2020006176.tif 000014
【図６Ｂ】
2020006176.tif 000015
【図６Ｃ】
2020006176.tif 000016
【図６Ｄ】
2020006176.tif 000017
【図７Ａ】
2020006176.tif 000018
【図７Ｂ】
2020006176.tif 000019
【図７Ｃ】
2020006176.tif 000020
【図７Ｄ】
2020006176.tif 000021
【図８Ａ】
2020006176.tif 000022
【図８Ｂ】
2020006176.tif 000023
【図８Ｃ】
2020006176.tif 000024
【図８Ｄ】
2020006176.tif 000025
【図９Ａ】
2020006176.tif 000026
【図９Ｂ】
2020006176.tif 000027
【図９Ｃ】
2020006176.tif 000028
【図９Ｄ】
2020006176.tif 000029
【図１０】
2020006176.tif 000030
【図１１】
2020006176.tif 000031
【図１２】
2020006176.tif 000032
【図１２Ａ】
2020006176.tif 000033
【図１２Ｂ】
2020006176.tif 000034
【図１２Ｃ】
2020006176.tif 000035
【図１２Ｄ】
2020006176.tif 000036
【図１３】
2020006176.tif 000037
【図１４】
2020006176.tif 000038
【図１５】
2020006176.tif 000039
【図１６】
2020006176.tif 000040
【外国語明細書】
2020006176000001.pdf